【手続補正書】
【提出日】平成31年2月18日(2019.2.18)
【手続補正１】
【補正対象書類名】明細書
【補正対象項目名】全文
【補正方法】変更
【補正の内容】
【発明の詳細な説明】
【発明の名称】身体部位用サポート
【技術分野】
【０００１】
本願に開示された主題は、身体部位用サポートに関するものであり、特に、胸部サポート、例えば、胸部の乳房領域用サポートを提供する。
【背景技術】
【０００２】
身体部分用サポートには、例えば、包帯が知られている。
【０００３】
このようなサポートは、胸部用に構成されたものがあり、特に、乳房領域用サポートを提供し、様々な胸部用下着が含まれる。これらは、術後の乳房ドレッシングとして、及び／又は、術後の胸部の加圧用に、及び／又は、例えば豊胸手術後の乳房の安定化用に使用することができる。このような胸部用下着は、通常、着用者の胴体中央部から上側部分を包み、胸部を支持するように設計されている。
【０００４】
美容又は医療の乳房手術後に使用するこのような胸部用下着、及び／又はその他の胸部用下着が、米国特許公報第１，４４８，６３９号、第２，４２７，４０２号、第２，６６２，５２２号、第２，９７０，５９７号、第３，６５１，５２２号、第４，２５７，４１２号、第４，５３０，３６１号、第５，０９８，３３１号、第５，１５２，７４１号、第５，５３８，５０２号、第５，８６８，６０１号、第６，２２０，９２４号、第６，３９１，０９１号、第７，９０９，６７５号；米国特許出願公開公報第２０１３／１１５８５２号；米国意匠第Ｄ４７５５０６Ｓ号；国際特許出願公開第２００７／１１８５８０号及び第２００８／０１７７０７号；ドイツ特許出願公開第２９７０６６９０号；及びフランス特許出願公開第２，２５２，０６１号に開示されている。
【０００５】
さらに、例えば、ｈｔｔｐ：／／ｄｉａｎｎｅｓｍａｓｔｅｃｔｏｍｙ．ｃｏｍ／ａｃｃｅｓｓｏｒｉｅｓ／ｃｏｍｐｒｅｓｓｉｏｎ−ｂｒａ−ｂｅｌｔ−ｍｏｄｅｌ−５１９；及び、ｈｔｔｐ：／／ｗｗｗ．ｈｅａｌｔｈａｎｄｃａｒｅ．ｃｏ．ｕｋ／ｐｏｓｔ−ｂｒｅａｓｔ−ｓｕｒｇｅｒｙｒａｎｇｅ／ｐｏｓｔ−ｏｐ−ｂｒａ．ｈｔｍｌといったオンラインで圧迫ブラを見ることができる。
【実施例】
【０００６】
本開示によるいくつかの非限定的な実施例が、以下に順に規定されている。
【０００７】
１．身体部位の少なくとも第１の身体領域と第２の身体領域を覆って支持する身体サポートであって、第１の身体領域と第２の身体領域の各々が、身体部分の正中面の異なる側部にあり、身体に対する装着状態と脱着状態を有する身体サポートであり：
弾性第１パネルと、第１内側横方向端部と、第１内側横方向端部からスペースを空けて配置された第１外側横方向自由端部とを具える、第１サポートと；
弾性第２パネルと、第２内側横方向端部と、第１内側横方向端部からスペースを空けて配置された第２の外側横方向自由端部とを具える、第２サポートと；
第１内側横方向端部と第２内側横方向端部に連結されており、装着状態において、それに取り付けたときに身体部位に巻き付けて支持できるようにする、連結部と；
第１外側横方向端部から外側に向けて突出しており、装着状態において、少なくとも一つの第１位置で、第１サポートを第２サポートに対して選択的かつ可逆的に取り付けるように構成した第１のファスナを具える少なくとも一の第１舌部であって、この第１舌部の一部が第２サポートの各部と重なって隣接する関係にあり、第１身体領域に対する隣接接触によって第１身体領域に第１支持圧力をかけることができる、第１舌部と；
第２外側横方向端部から外側に向けて突出しており、第１ファスナと異なる第２のファスナであって、装着状態において、少なくとも一の第２位置で、第２サポートを第１サポートに対して選択的かつ可逆的に取り付けるように構成した第２ファスナを具える少なくとも一の第２舌部であって、この第２舌部の一部が第１サポートの各部と重なって隣接する関係にあり、第２身体領域に対する隣接接触によって第２の身体領域に第２の支持圧力を誘発できる、第１舌部と；
を具え、
脱着構造では、第１サポートと第２サポートが互いに対して非接触状態にある、身体サポート。
【０００８】
２．上記第１節に記載の身体サポートであって、少なくとも一つの第１位置で、第１外側横方向端部の一部が、第２サポートの各部分と重なって隣接する関係にある身体サポート。
【０００９】
３．第１節又は第２節に記載の身体サポートであって、第１支持圧力が、第１外側横方向端部に第１張力をかけることによって第１の身体領域に誘発される身体サポート。
【００１０】
４．第３節に記載の身体サポートであって、第１張力が、第１外側横方向端部を第２サポートの上に横方向に引っ張ることによってかけられる、身体サポート。
【００１１】
５．第１節乃至第４節のいずれかに記載の身体サポートであって、各々が第２サポートに対して異なる横方向のスペースを有する複数の第１位置を有し、異なる第１位置における第１サポートの第２サポートに対する取り付けによって、対応して第１支持圧力を変えることができる、身体サポート。
【００１２】
６．第１節乃至第５節のいずれかに記載の身体サポートであって、第１のファスナが、少なくとも一の第１舌部を、第２サポートの外向側部に対して可逆的に取り付けるように構成されている、身体サポート。
【００１３】
７．第１節乃至第６節のいずれかに記載の身体サポートであって、第１外側横方向端部が第１舌部を複数具えており、これらの第１舌部の各々が第１パネルから外側に向けて突出しており、第１ファスナが、少なくとも一の第１舌部を第２サポートの外向側部に対して可逆的に取り付けるように構成されている、身体サポート。
【００１４】
８．第１節乃至第７節のいずれかに記載の身体サポートであって、第２外側横方向端部が、それを通ってループになり、第１パネルに対して重なる関係にある少なくとも一の第１開口を具え、第２ファスナが、第１舌部の各々を第１サポートの外向側部に対して可逆的に取り付けるように構成されている、身体サポート。
【００１５】
９．第１節乃至第８節のいずれかに記載の身体サポートであって、少なくとも一の第２位置において、第２外側横方向端部の一部が、第１サポートの各部位に対して重なって隣接している、身体サポート。
【００１６】
１０．第１節乃至第９節のいずれかに記載の身体サポートであって、第２の支持圧力が、第２外側横方向端部に第２の張力をかけることによって、第２の身体領域に誘発される、身体サポート。
【００１７】
１１．第１０節に記載の身体サポートであって、第２の張力が、第２外側横方向端部を第１サポートのお上に横方向に引っ張ることによってかけられる、身体サポート。
【００１８】
１２．第１節乃至第１１節のいずれかに記載の身体サポートであって、第２位置を複数具え、各第２位置が、第１サポートに対して横方向に異なるスペースを有し、異なる各第２位置における第２サポートの第１サポートに対する取付によって、対応して第１支持圧力が変化する、身体サポート。
【００１９】
１３．第１節乃至第１２節のいずれかに記載の身体サポートであって、第２ファスナが少なくとも一の第２舌部を第１サポートの外向側部に対して可逆的に取り付けるように構成されている、身体サポート。
【００２０】
１４．第１節乃至第１３節のいずれかに記載の身体サポートであって、第２外側横方向端部が、第２舌部を複数具え、各第２節部が第２パネルから外側に突出しており、第２ファスナが少なくとも一の第２舌部を第１サポートの外向側部に対して可逆的に取り付けるように構成されている、身体サポート。
【００２１】
１５．第１節乃至第１４節のいずれかに記載の身体サポートであって、第１外側横方向端部が、それを通ってループになり、第２パネルに対して重なっている少なくとも一の第２開口を具え、第１ファスナが、各第２舌部を第２サポートの外向側部に対して可逆的に取り付けるように構成されている、身体サポート。
【００２２】
１６．第１０節乃至第１５節のいずれかに記載の身体サポートであって、第１張力が、比較的上位位置で横方向にかけられ、第２張力が比較的下位位置で横方向にかけられる、身体サポート。
【００２３】
１７．第１０節乃至第１５節のいずれかに記載の身体サポートであって、第１張力が比較的下位位置で横方向にかけられ、第２張力が比較的上位位置で横方向にかけられる、身体サポート。
【００２４】
１８．第１節乃至第１７節のいずれかに記載の身体サポートであって、連結セクションが第１内側横方向端部と、第２内側横方向端部の各々に横方向に連結される、身体サポート。
【００２５】
１９．第１節乃至第１８節のいずれかに記載の身体サポートであって、連結セクションが第１内側横方向端部と第２内側横方向端部に連結されており、これによって、装着状態において取り付けたときに、身体部位に巻き付いてこれを支持することが可能であり、第１パネルが第１身体領域を覆って隣接しており、第２パネルが第２身体領域を覆って隣接しており、連結セクションの一部が身体部位の後部を覆って隣接している、身体サポート。
【００２６】
２０．第１節乃至第１９節のいずれかに記載の身体サポートであって、さらに、第１ファスナ及び第２ファスナとは異なる少なくとも一の予備ファスナを具え、この少なくとも一の予備ファスナが各々、身体部位に対して上位位置において、第１サポートと第２サポートを互いに可逆的に取り付けるように構成されている、身体サポート。
【００２７】
２１．第２０節に記載の身体サポートにおいて、少なくとも一の予備ファスナが、身体部位の正中面にほぼ対応するほぼ中央上位位置において、第１サポートと第２サポートを互いに可逆的に取り付けるように構成されている、身体サポート。
【００２８】
２２．第１節乃至第２１節のいずれかに記載の身体サポートであって、さらに、身体サポート上に位置する安定化パネル対を具え、第１安定化パネルが第１サポートの第１部分と連結セクションの第１部分の上にあり、第２安定化パネルが第２サポートの第２部分と連結セクションの第２部分の上にあり、各安定化パネルが少なくとも横方向においてほぼ非弾性である、身体サポート。
【００２９】
２３．第１節乃至第２２節のいずれかに記載の身体サポートであって、
連結セクションが第１サポートを第２サポートに、身体サポートの仮想縦正中線に沿って縦方向にスペースを空けた関係で連結しており；
少なくとも一の第１舌部が、正中線の第１横側部上で正中線から横方向にスペースを空けて配置されており、少なくとも一の第２舌部が、正中線の第２横側部上で正中線から横方向にスペースを空けて配置されており、第１横側部と第２横側部が、正中線の対向する横側部である、身体サポート。
【００３０】
２４．第１節乃至第２３節のいずれかに記載の身体サポートであって、第１サポートがさらに、第１外側横方向端部から突出し、装着状態において第１予備舌部の各々を第１サポートに対して少なくとも一の第１位置で選択的かつ可逆的に取り付けるように構成された第１予備ファスナを具える、少なくとも一の第１予備舌部を具え、第１予備舌部の一部が、第１サポートの各一部と重なって隣接する関係にあり、第１支持圧力を強化している、身体サポート。
【００３１】
２５．第２４節に記載の身体サポートにおいて、第１予備舌部の各々が、その一端部において、対応する第１舌部の内側端に連結されており、少なくとも身体サポートの着用前に、第１予備舌部が対応する第１舌部を覆って、第１予備舌部が、対応する第１舌部から離れる方向にその一の端部の周りを回動して、第１予備舌部を第１サポートに対して取り付けることができる、身体サポート。
【００３２】
２６．第１節乃至第２５節のいずれかに記載の身体サポートであって、第２サポートがさらに、第２外側横方向端部から突出し、装着状態において、第２予備舌部の各々を第２サポートに対して少なくとも一の第２位置で選択的かつ可逆的に取り付けるように構成された第１予備ファスナを具える、少なくとも一の第２予備舌部を具え、第２予備舌部の一部が、第２サポートの各一部と重なって隣接する関係にあり、第２支持圧力を強化している、身体サポート。
【００３３】
２７．第２６節に記載の身体サポートであって、各第２予備舌部がその一端で対応する第２舌部の内側端に連結されており、少なくとも身体サポートの着用前に、第２予備舌部が対応する第２舌部を覆って、第２予備舌部が、対応する第２舌部から離れる方向にその一端部の周りを回動して、第２予備舌部を第２サポートに対して取り付けることができる、身体サポート。
【００３４】
２８．第１節乃至第２７節のいずれかに記載の身体サポートであって、脱着状態において、第１サポートと第２サポートが、排他的に連結セクションを介して互いに、永久連結されている、身体サポート。
【００３５】
２９．第１節乃至第２８節のいずれかに記載の身体サポートであって、少なくとも脱着状態において、第１外側横方向自由端部と第２外側横方向自由端部とが互いに結合されていない、身体サポート。
【００３６】
３０．第１節乃至第２９節のいずれかに記載の身体サポートであって、少なくとも脱着状態において、第１サポートと第２サポートが互いに直接的に取り付けられていない身体サポート。
【００３７】
３１．第１節乃至第３０節のいずれかに記載の身体サポートであて、身体部分をサポートしている身体サポートの使用において、第１外側横方向自由端部と第２外側横方向自由端部との間に永久連結がない、身体サポート。
【００３８】
３２．第１節乃至第３１節のいずれかに記載の身体サポートにおいて、装着状態において、身体サポートが、第１圧力と第２圧力を介して排他的に身体部分に取り付けられている、身体サポート。
【００３９】
３３．第１節乃至第３２節のいずれかに記載の身体サポートであって、第１支持圧力がかかると、少なくとも一の第１舌部の概略位置において、身体部分に対してほぼ横方向に身体部分上で身体サポートが締め付けられる、身体サポート。
【００４０】
３４．第１節乃至第３３節のいずれかに記載の身体サポートであって、第２支持圧力がかかると、少なくとも第２舌部の概略位置において、身体部分に対してほぼ横方向に身体部分上で身体サポートが締め付けられる、身体サポート。
【００４１】
３５．第１節乃至第３４節のいずれかに記載の身体サポートであって、少なくとも一の第１舌部が、少なくとも一の第２舌部に対して、横方向に平行に間隔を空けて配置されている、身体サポート。
【００４２】
３６．第１節乃至第３５節のいずれかに記載の身体サポートであって、装着状態において、第１外側横方向端部の第１エッジが、第２外側横方向端部の第２エッジに隣接している、身体サポート。
【００４３】
３７．第１節乃至第３５節のいずれかに記載の身体サポートであって、装着状態において、交差構造の隣接ゾーンにおいて第１外側横方向端部の第１エッジが、第２外側横方向端部の第２エッジと隣接しており、第１外側横方向端部の第１部分が、第２外側横方向端部の第２部分の上に位置すると同時に、第２外側横方向端部の第１部分が第１外側横方向端部の第２部分の上に位置することができる、身体サポート。
【００４４】
３８．第１節乃至第３７節のいずれかに記載の身体サポートであって、身体サポートが使い捨て製品として形成されている、身体サポート。
【００４５】
３９．第１節乃至第３７節のいずれかに記載の身体サポートであって、身体サポートが複数回使用製品として形成されている、身体サポート。
【００４６】
４０．第１節乃至第３９節のいずれかに記載の身体サポートであって、第１ファスナと第２ファスナが第１支持圧力と第２支持圧力をそれぞれ独立してかけるように構成されている、身体サポート。
【００４７】
４１．第１節乃至第４０節のいずれかに記載の身体サポートであって、第１ファスナと第２ファスナが、第２支持圧力と異なる第１支持圧力をかけるように構成されている、身体サポート。
【００４８】
４２．第１節乃至第４１節のいずれかに記載の、特に胸部サポートとして構成されている身体サポートであって、
身体部分が胴体であり、第１の身体領域が胴体に対応する胸部の第１乳房領域であるとともに、第２の身体領域が第２乳房領域であり、第１乳房領域と第２乳房領域の各々が、胴体の正中矢状面の異なる側部にあり；
第１パネルが第１乳房受けパネルであり、第２パネルが第２乳房受けパネルである、身体サポート。
【００４９】
４３．第４２節に記載の身体サポートであって、少なくとも第１舌部が、少なくとも一の第２舌部に対して横方向にスペースを空けて配置されており、この横方向のスペースが少なくとも乳房領域の最も高いである、身体サポート。
【００５０】
４４．第４２節乃至４３節のいずれかに記載の身体サポートであって、身体サポートが胴体に巻き付いて、装着状態において胸部を支持しているときに、身体サポート上に、腹部の上側胸郭の左側及び上側胸郭の右側の一方と重なるように配置された一対の安定化パネルを具えており、各安定化パネルが、少なくとも横方向においてほぼ非弾性である、身体サポート。
【００５１】
４５．第１節乃至第４１節のいずれかに記載の身体サポートであって、身体部分が腕、掌、指、脚、足、つま先、腹部、腰、首、のいずれか一つであって、各々が本開示の個別で独立した実施例を表している。
【００５２】
４６．身体部分に身体サポートを装着する方法であって：
（ａ）第４２節乃至４４節に規定した身体サポートを提供するステップと；
（ｂ）腹部を身体サポートで囲み、第１乳房受けパネルが第１乳房領域と重なって隣接するようにし、第２乳房受けパネルが第２乳房領域と重なって隣接するようにするとともに、この連結部分が腹部の後部と重なって隣接する関係にあるステップと；
（ｃ）第１外側横方向端部を介して第１乳房受けパネルに第１張力をかけ、第１の乳房受けパネルを第２サポートに対応する第１位置において固定して、この第１張力を維持して第１支持圧力を第１乳房領域に誘発するステップと；
（ｄ）第２外側横方向端部を介して第２乳房受けパネルに第２張力をかけ、第２張力を維持しつつ第２乳房受けパネルを対応する第２位置において第１サポートに取り付けて、第２乳房領域に第２支持圧力を誘発するステップと；
を具える方法。
【００５３】
４７．身体部分に隣接して巻き付け、装着状態において、少なくともこの身体部分の第１身体領域と第２身体領域を支持する身体サポートであって、第１身体領域と第２身体領域の各々が、身体部分の正中面の異なる側部にあり、身体サポートがさらに身体部分に対する脱着状態を有し、この身体サポートが：
第１身体領域に隣接する弾性第１サポートパネルと；
第２身体領域に隣接する弾性第２サポートパネルと；
第１サポートパネルと第２サポートパネルを、身体サポートの仮想縦正中線に沿って縦方向にスペースを空けて連結するフレキシブル連結セクションと；
連結セクションから離れて第１縦方向に第１支持パネルから外側に突出する少なくとも一のフレキシブル第１舌部であって、正中線の第１横側部上で正中線から横方向にスペースを空けて配置されている第１舌部と；
連結セクションから離れて第２縦方向に第２乳房支持パネルから外側に向けて突出している少なくとも一のフレキシブル第２舌部であって、正中線の第２横側部上で正中線から横方向にスペースを空けて配置されている第２舌部と；
正中線の第１横側部上の少なくとも一の第１相対空間位置に、第１舌部を第２支持パネルに選択的かつ可逆的に固定するよう動作する第１ファスナと；
正中線の第２横側部上の少なくとも一の第２相対空間位置に、第２舌部を第１支持パネルに選択的かつ可逆的に固定する様動作する第２ファスナと；を具え、
第１横側部と第２横側部は、正中線の対向する横側部であり、
脱着状態において、第１支持パネルと第２支持パネルが、互いに対して非接触である、身体サポート。
【００５４】
４８．第４７節に記載の身体サポートであって、縦方向のスペースが、装着状態において第１支持パネルが第１身体領域と重なって隣接しており、第２支持パネルが第２身体領域と重なって隣接するように配置されている、身体サポート。
【００５５】
４９．第４７節又は４８節のいずれかに記載の身体サポートであって、さらに、第１のファスナ及び第２のファスナと異なる少なくとも一の予備ファスナであって、装着状態にあって第１支持パネルと第２支持パネルを互いに可逆的に固定するように構成した予備ファスナを具える、身体サポート。
【００５６】
５０．第４９節に記載の身体サポートであって、少なくとも一の予備ファスナが、第１支持パネルと第２支持パネルをほぼ中央上位位置で互いに可逆的に固定するように構成されている、身体サポート。
【００５７】
５１．第４７節乃至第５０節のいずれかに記載の身体サポートであって、さらに、身体サポート上に配置した安定化パネル対であって、第１安定化パネルが第１支持パネルの第１部分と連結セクションの第１部分に重なっており、第２安定化パネルが第２支持パネルの第２部分と連結セクションの第２部分に重なっている、安定化パネルを具え、各安定化パネルが少なくとも横方向においてほぼ非弾性である、身体サポート。
【００５８】
５２．第４７節乃至第５１節のいずれかに記載の身体サポートであって、第１支持パネルが複数の第１舌部を具えており、各第１舌部が第１支持パネルから外側に突出しており、第１ファスナが、少なくとも一の第１舌部を各々第２支持パネルの外向側部に対して可逆的に固定するように構成されている、身体サポート。
【００５９】
５３．第４７節乃至第５２節のいずれかに記載の身体サポートであって、第２支持パネルが、各第１舌部が、そこを通ってループとなり第１支持パネルと重なる少なくとも一の第１開口を具え、第２ファスナが、第１支持パネルの外向側部に対して各第１舌部を可逆的に固定するように構成されている、身体サポート。
【００６０】
５４．第４７節乃至第５３節のいずれかに記載の身体サポートであって、第２サポートパネルが複数の第２舌部を具え、各第２舌部が第２支持パネルから外側に突出しており、第２ファスナが、少なくとも一の第２舌部を第１支持パネルの外向側部に対して可逆的に固定するように構成されている、身体サポート。
【００６１】
５５．第４７節乃至５４節のいずれかに記載の身体サポートであって、第１支持パネルが、各第２舌部が、そこを通ってループとなり第２支持パネルと重なる少なくとも一の第２開口を具え、第１ファスナが、第２支持パネルの外向側部に対して各第２舌部を可逆的に固定するように構成されている、身体サポート。
【００６２】
５６．第４７節乃至５５節のいずれかに記載の身体サポートであって、装着状態において身体部分に固定した時に身体部分に巻き付け身体部分を支持できるように構成されており、第１支持パネルが第１身体領域と重なって隣接し、第２支持パネルが第２身体領域と重なって隣接するとともに、連結セクションの少なくとも一部が身体部分の背部と重なって隣接する、身体サポート。
【００６３】
５７．第４７節乃至第５６節のいずれかに記載の身体サポートであって、さらに、第１ファスナ及び第２ファスナと異なる少なくとも一の予備ファスナを具え、少なくとも一の各予備締結部が、身体部分に対して上位位置において第１支持パネルと第２支持パネルを互いに可逆的に固定するように構成されている、身体サポート。
【００６４】
５８．第５７節に記載の身体サポートであって、少なくとも一の予備ファスナが、第１支持パネルと第２支持パネルを、身体部分の正中面にほぼ対応する前方ほぼ中央上位位置において可逆的に固定するように構成されている、身体サポート。
【００６５】
５９．第４７節乃至第５８節のいずれかに記載の身体サポートであって、第１支持パネルがさらに、第１支持パネルから突出している少なくとも一の第１予備舌部であって、装着状態において、各第１予備舌部を第１支持パネルに少なくとも一の第１位置において選択的かつ可逆的に固定するように構成された第１予備ファスナを具え、第１予備舌部の一部が第１支持パネルの各部分と重なって隣接する、身体サポート。
【００６６】
６０．第５９節に記載の身体サポートであって、各第１予備舌部がその一端部において対応する第１舌部の内側横方向端部に連結されており、少なくとも身体サポートを装着する前に、第１予備舌部が対応する第１舌部に重なっており、第１予備舌部が対応する第１舌部から離れてその一端を中心に回動して、第１予備舌部を第１支持パネルに対して固定することができる身体サポート。
【００６７】
６１．第４７節乃至第６０節のいずれかに記載の身体サポートであって、第２支持パネルがさらに、第２支持パネルから突出している少なくとも一の第２予備舌部であって、装着状態において、各第２予備舌部を第２支持パネルに少なくとも一の第２位置において選択的かつ可逆的に固定するように構成された第２予備ファスナを具え、第２予備舌部の一部が第２支持パネルの各部分と重なって隣接する、身体サポート。
【００６８】
６２．第６１節に記載の身体サポートであって、各第２予備舌部がその一端部において対応する第２舌部の内側横方向端部に連結されており、少なくとも身体サポートを装着する前に、第２予備舌部が対応する第２舌部に重なっており、第２予備舌部が対応する第２舌部から離れてその一端を中心に回動して、第２予備舌部を第２支持パネルに対して固定することができる、身体サポート。
【００６９】
６３．第４７節乃至６２節のいずれかに記載の身体サポートであって、脱着状態において、第１支持パネルと第２支持パネルが、排他的に連結セクションを介して互いに永久的に連結されている、身体サポート。
【００７０】
６４．第４７節乃至６３節のいずれかに記載の身体サポートであって、少なくとも脱着状態において、第１支持パネルと第２支持パネルが互いに取り外されている、身体サポート。
【００７１】
６５．第４７節乃至６４節のいずれかに記載の身体サポートであって、身体部分を支持する身体サポートの使用時に、第１支持パネルと第２支持パネル間に永久的な直接固定がない、身体サポート。
【００７２】
６６．第４７節乃至６５節のいずれかに記載の身体サポートであって、装着状態において、少なくとも一の第１舌部を第２支持パネルに固定して第１身体領域に隣接させることによって第１身体領域に第１支持圧力を誘発させ、少なくとも一の第２舌部を第１支持パネルに固定して第２身体領域に隣接させることによって第２身体領域に第２支持圧力を誘発させる、身体サポート。
【００７３】
６７．第６６節に記載の身体サポートであって、装着状態において、排他的に身体サポートが第１圧力と第２圧力を介して身体部分に固定されている、身体サポート。
【００７４】
６８．第６６節乃至６７節のいずれかに記載の身体サポートであって、第１支持圧力によって、身体部分に対して主に横方向に、少なくとも一の第１舌部の通常位置において、身体部分への身体サポートの締め付けが生じる、身体サポート。
【００７５】
６９．第６６節乃至６８節のいずれかに記載の身体サポートであって、第２支持圧力によって、身体部分に対して主に横方向に、少なくとも一の第２舌部の通常位置において、身体部分への身体サポートの締め付けが生じる、身体サポート。
【００７６】
７０．第４７節乃至７０節のいずれかに記載の身体サポートであって、少なくとも一の第１舌部が、少なくとも一の第２舌部に対して平行に横方向にスペースを空けて配置されている、身体サポート。
【００７７】
７１．第４７節乃至７０節のいずれかに記載の身体サポートであって、特に、胸部サポートとして構成されており、
身体部分が胴体であって、第１身体領域が胴体に対応する胸の第１乳房領域であり、第２身体領域が第２乳房領域であり、第１乳房領域と第２乳房領域が各々、胴体の正中矢状面の異なる側部上にあり、
第１支持パネルが第１乳房受けパネルであり、第２支持パネルが第２乳房受けパネルである、
身体サポート。
【００７８】
７２．第７１節に記載の身体サポートであって、少なくとも一の第１舌部が、少なくとも一の第２舌部に対して、横方向にスペースを空けることによって横方向にスペースを空けて配置されており、この横方向のスペースが、少なくとも乳房領域の高さ寸法である、身体サポート。
【００７９】
７３．第７１節又は７２節のいずれかに記載の身体サポートであって、身体サポート上に胴体の上側胸郭の左側部と上側胸郭の右側部のそれぞれに対して傘あるように配置した安定化パネル対を具え、装着状態において身体サポートが胴体を囲んで胸部を支持している場合、各安定化パネルが少なくとも横方向において非弾性である、身体サポート。
【００８０】
７４．第４７節乃至７０節のいずれかに記載の身体サポートであって、身体部分が：腕、掌、指、脚、足、つま先、腹部、腰、首、のいずれかであって、各々が独立した別々の実施例である、身体サポート。
【００８１】
７５．第４７節乃至７４節のいずれかに記載の身体サポートであって、第１舌部が第１支持パネルから、正中線にほぼ平行な方向に外側に突出している、身体サポート。
【００８２】
７６．第４７節乃至７５節のいずれかに記載の身体サポートであって、第２舌部が第２支持パネルから正中線にほぼ平行な方向に外側に突出している、身体サポート。
【００８３】
７７．第４７節乃至７６節のいずれかに記載の身体サポートであって、身体サポートが使い捨て製品として形成されている、身体サポート。
【００８４】
７８．第４７節乃至７６節のいずれかに記載の身体サポートであって、身体サポートが複数回使用製品として形成されている、身体サポート。
【００８５】
７８．身体部分上に身体サポートを装着する方法であって：
（ａ）第７１節乃至７３節に規定された身体サポートを提供するステップと；
（ｂ）第１乳房受けパネルが第１乳房領域に重なって隣接し、第２乳房受けパネルが第２乳房領域に重なって隣接し、連結部が胴体の背部に重なって隣接するように、身体サポートで胴体を巻くステップと；
（ｃ）第１横方向外側横方向端部を介して第１乳房受けパネルに第１張力をかけ、第１張力を維持しながら第１乳房受けパネルを対応する第１位置で第２サポートに固定して、第１乳房領域に第１支持圧力を誘発するステップと；
（ｄ）第２横方向外側横方向端部を介して第２乳房受けパネルに第２張力をかけ、第２張力を維持しながら第２乳房パネルを対応する第２位置で第１サポートに固定して、第２乳房領域に第２支持圧力を誘発するステップと；
を具える、方法。
【発明の概要】
【００８６】
ここで、「身体部分」とは、外部表面を有し、例えばバンドで巻くことができる身体の一部を意味する。このような身体部分には、例えば、腕、掌、指、脚、足、つま先、腹部、腰、首、のいずれか一つが含まれる。ここで「身体」にはヒトの身体、弾性又は女性が含まれ、さらに、動物の身体、特に霊長類の身体も含まれる。
【００８７】
ここに開示した主題は、一態様によれば、少なくとも胸部の第１乳房領域と第２乳房領域を覆いサポートする胸部サポートを提供し、第１乳房領域と第２乳房領域は各々対応する胴体の正中矢状面の異なる側部にあり、この胸部サポートは：
弾性第１乳房受けパネルと、第１内側横方向端部と、第１外側横方向自由端部を具える第１乳房サポートと；
弾性第２乳房受けパネルと、第２内側横方向端部と、第２外側横方向自由端部を具える第２乳房サポートと；
第１内側横方向端部と第２内側横方向端部に連結して、胴体に取り付けたときに胴体に巻きつけ支持することができるようにする連結セクションと；
第１乳房サポートを第２乳房サポートに対して、少なくとも第１位置で選択的かつ可逆的に固定するように構成され、第１乳房サポートの一部が第２乳房サポートの各部分と重なって隣接させて、第１乳房領域に隣接して接触することによって第１支持圧力を第１乳房領域に誘発できるようにした第１ファスナと；
第２乳房サポートを第１乳房サポートに対して、少なくとも第２位置で選択的かつ可逆的に固定するように構成され、第２乳房サポートの一部が第１乳房サポートの各部分と重なって隣接させて、第２乳房領域に隣接して接触することによって第２支持圧力を第２乳房領域に誘発できるようにした第１ファスナと異なる第２ファスナと；
を具える。
【００８８】
特に、脱着した状態において、第１乳房サポートと第２乳房サポートは、互いに対して非接触である。
【００８９】
ここに開示した主題の代替例では、胸部の少なくとも第１乳房領域と第２乳房領域を覆い支持する胸部サポートが提供されており、第１乳房領域と第２乳房領域は各々、対応する胴体の正中矢面の異なる側面にあり、この胸部サポートは：
弾性第１乳房受けパネルと、第１内側横方向端部と第１外側横方向自由端部を具える第１乳房サポートと；
弾性第２乳房受けパネルと、第２内側横方向端部と第２外側横方向自由端部を具える第２乳房サポートと；
第１内側横方向端部と第２内側横方向端部に連結され、胸部に固定した時に胸部に巻き付けて支持できるようにした連結セクションと：
第１乳房サポートを第２乳房サポートに対して、少なくとも一の第１位置で選択的かつ可逆的に固定するように構成し、第１乳房領域に第１支持圧力を誘発できるようにした第１ファスナと；
第２乳房サポートを第１乳房サポートに対して少なくとも一の第２位置で選択的かつ可逆的に固定するように構成し、第２乳房領域に第２支持圧力を誘発できるようにした、第１ファスナと異なる第２ファスナと；
を具え、
第１ファスナと第２ファスナが、それぞれ、互いに対して独立して第１支持圧力と第２支持圧力をかけるように構成されている。
【００９０】
ここに開示した主題の更なる代替例では、少なくとも胸部の第１乳房領域と第２乳房領域を覆い支持する胸部サポートが提供されており、第１乳房領域と第２乳房領域は各々対応する胴体の正中矢面の異なる側面にあり、この胸部サポートは：
弾性第１乳房受けパネルと、第１内側横方向端部と第１外側横方向自由端部を具える第１乳房サポートと；
弾性第２乳房受けパネルと、第２内側横方向端部と第２外側横方向自由端部を具える第２乳房サポートと；
第１内側横方向端部と第２内側横方向端部に連結され、胸部に固定した時に胸部に巻き付けて支持できるようにした連結セクションと：
第１乳房サポートを第２乳房サポートに対して、少なくとも一の第１位置で選択的かつ可逆的に固定するように構成し、第１乳房領域に第１支持圧力を誘発できるようにした第１ファスナと；
第２乳房サポートを第１乳房サポートに対して少なくとも一の第２位置で選択的かつ可逆的に固定するように構成し、第２乳房領域に第２支持圧力を誘発できるようにした、第１ファスナと異なる第２ファスナと；
を具え、
第１ファスナと第２ファスナが、それぞれ、第２支持圧力と異なる第１支持圧力をかけるように構成されている。
【００９１】
ここに開示した主題の更なる代替例では、少なくとも胸部の第１乳房領域と第２乳房領域を覆い支持する胸部サポートが提供されており、第１乳房領域と第２乳房領域は各々、対応する胴体の正中矢面の異なる側面にあり、この胸部サポートは：
弾性第１乳房受けパネルと、第１内側横方向端部と第１外側横方向自由端部を具える第１乳房サポートと；
弾性第２乳房受けパネルと、第２内側横方向端部と第２外側横方向自由端部を具える第２乳房サポートと；
第１内側横方向端部と第２内側横方向端部に連結され、胸部に固定した時に胸部に巻き付けて支持できるようにした連結セクションと：
第１乳房サポートを第２乳房サポートに対して、少なくとも一の第１位置で選択的かつ可逆的に固定するように構成し、第１乳房領域に第１支持圧力を誘発できるようにした第１ファスナと；
第２乳房サポートを第１乳房サポートに対して少なくとも一の第２位置で選択的かつ可逆的に固定するように構成し、第２乳房領域に第２支持圧力を誘発できるようにした、第１ファスナと異なる第２ファスナと；
を具え、
第１位置が相対的に上位位置にあり、第２位置が相対的に下位位置にある。
【００９２】
好ましい一例では、ここに開示した主題は、胴体に隣接して選択的に巻き付け、第１乳房領域と第２乳房領域を支持し、第１乳房領域と第２乳房領域が各々胴体の正中矢状面の異なる側面にある胸部サポートを提供しており、この胸部サポートは；
第１乳房に隣接する弾性第１乳房サポートパネルと；
第２乳房に隣接する弾性第２乳房サポートパネルと；
第１乳房サポートパネルを第２乳房サポートパネルに胸部サポートの正中線に沿って縦方向にスペースを空けて連結する、フレキシブル連結セクションと；
連結セクションから離れてほぼ縦方向に第１乳房サポートから外側に向けて突出するフレキシブル第１舌部と；
連結セクションから離れてほぼ縦方向に第２乳房サポートから外側に向けて突出するフレキシブル第２舌部と；
少なくとも一の第１相対的空間配置において第１舌部を第２乳房サポートパネルに選択的かつ可逆的に固定する様動作する第１ファスナと；
少なくとも一の第２相対的空間配置において第２舌部を第１乳房サポートパネルに選択的かつ可逆的に固定する様動作する第２ファスナと；
を具え、
第１舌部と第２舌部が、正中線の対向する側部に配置されている。
【００９３】
弾性材料に関しては、伸縮性があり、伸縮力が除去されると元の形に戻るあらゆる材料に及ぶと解される。換言すると、変形を生じる歪を取り去ると元の形状とサイズに戻ることができるあらゆる材料である（例えば、繊維の戻り）。
【００９４】
いくつかの例によれば、胸部サポートの一またはそれ以上の部分が弾性材料でできている。
【００９５】
弾性材料は繊維工業に見ることができ、天然物質又は合成物質からなる。いくつかの例では、弾性材料は、限定するものではないが、ポリウレタン、ポリエステル、ゴム（例えば、合成ゴム）及びナイロンなどの剛性材料を含む。
【００９６】
フレキシブル材料に関しては、破壊することなく、曲げたり、折りたたんだり、巻いたり、詰めることができるあらゆる材料に及ぶと解される。ここに開示した主題のコンテキストにおいては、胸部サポートの部分がフレキシブルであり、好ましくはサポートの大部分がフレキシブルであり、対象の胴体に巻き付けることができると解される。
【００９７】
いくつかの例では、胸部サポートの部分がフレキシブルかつ弾性があり、いくつかのその他の部分は単にフレキシブルであり弾性はないか、あるいは最小限である。
【００９８】
いくつかの例では、胸部サポートは、少なくとも第１位置において、第１外側横方向端部が、第２乳房サポートの各部分と重なって隣接する関係にある。
【００９９】
いくつかの例では、第１支持圧力が、第１外側横方向端部に第１張力をかけることによって第１乳房領域に誘発される。いくつかの例では、第１張力は、第１外側横方向端部を第２乳房サポートの上に横方向に引っ張ることによってかけられる。
【０１００】
いくつかの例では、胸部サポートは、複数の第１位置を有しており、各第１位置は第２乳房サポートに対して異なる横方向のスペースを有しており、第１乳房サポートをそれぞれ異なる第１位置において第２乳房サポートに取り付けることで、第１支持圧力が対応して変化する。
【０１０１】
いくつかの例では、第１外側横方向端部は、第１乳房受けパネルから横方向に突出した少なくとも一の第１舌部を有しており、第１ファスナは、少なくとも一の第１舌部を第２乳房サポートの外向側部に対して可逆的に取り付けている。
【０１０２】
いくつかの例では、第１外側横方向端部は、各々が第１乳房受けパネルから横方向に突出した複数の第１舌部を有しており、第１ファスナは、少なくとも一の第１舌部を第２乳房サポートの外向側部に対して可逆的に取り付けている。
【０１０３】
いくつかの例では、第１乳房サポートが、第１乳房受けパネルから横方向に突出している少なくとも一の第１舌部を有しており、第２外側横方向端部は、少なくとも一の第１開口を有し、各第１舌部がこの開口を通ってループとなって第１乳房受けパネルと重なりあうようにしており、第２ファスナは、各第１舌部を第１乳房サポートの外向側部に可逆的に取り付けるように構成されている。
【０１０４】
さらにいくつかの例では、第１乳房サポートが、第１乳房受けパネルから横方向に突出している少なくとも一の第１舌部を有しており、第２外側横方向端部は、少なくとも一の第１開口を有し、各第１舌部がこの開口を通ってループとなって第１乳房受けパネルと重なりあうようにしており、さらに、第２ファスナは、各第１舌部を第１乳房サポートの外向側部に可逆的に取り付けるように構成されている。
【０１０５】
更なるいくつかの追加例では、少なくとも一の第２位置において、第２外側横方向端部の一部が、第１乳房サポートの各部分と重なり合って隣接する関係にある。
【０１０６】
いくつかの例では、第２支持圧力が、第２外側横方向端部に第２張力をかけることによって、第２乳房領域に誘発される。
【０１０７】
いくつかの例では、第２外側横方向端部を第１乳房サポートの上に横方向に引っ張ることによって第２張力が適用される。
【０１０８】
いくつかの例では、各々が第１乳房サポートに対して異なる横方向のスペースを持つ胸部サポートが複数の第２位置を有しており、それぞれの異なる第２位置における第１乳房サポートに対して第２乳房サポートを取付けることにより、第１支持圧力が対応して変化する。
【０１０９】
いくつかの例では、第２外側横方向端部が、第２乳房受けパネルから横方向に突出する少なくとも一の第２舌部を具えており、第２ファスナが少なくとも一の第２舌部を、第１乳房サポートの外向側部に対して可逆的に取り付けるように構成されている。
【０１１０】
いくつかの例では、第２外側横方向端部が、第２乳房受けパネルから横方向に突出する複数の第２舌部を具えており、第２ファスナが少なくとも一の第２舌部を、第１乳房サポートの外向側部に対して可逆的に取り付けるように構成されている。
【０１１１】
いくつかの例では、第２乳房サポートが、第２乳房受けパネルから横方向に突出する少なくとも一の第２舌部を具えており、第１外側横方向端部が、少なくとも一の第２開口を有し、各第２舌部がこの開口を通ってループとなって第２乳房受けパネルと重なりあうようにしており、第１ファスナが、各第２舌部を第２乳房サポートの外向側部に可逆的に取り付けるように構成されている。
【０１１２】
ひとつの例では、第１張力が比較的高位に横方向にかけられており、第２張力が比較的低位に横方向にかけられている。
【０１１３】
代替例では、第１張力が比較的低位に横方向にかけられており、第２張力が比較的高位にかけられている。
【０１１４】
いくつかの例では、連結セクションが第１内側横方向端部と第２内側横方向端部の各々に横方向に連結されている。連結セクションは、いくつかの例では、第１内側横方向端部と第２内側横方向端部に連結されており、胸部に取り付けたときに、第１乳房受けパネルが第１乳房領域に対して重なって隣接し、第２乳房受けパネルが第２乳房領域に対して重なって隣接するとともに、連結セクションの少なくとも一部が胴体の背部に重なって隣接するように胸部に巻き付いてこれを支持することができる。
【０１１５】
胸部サポートはまた、第１ファスナ及び第２ファスナと異なる少なくとも一の予備ファスナを具えていてもよく、少なくとも一の予備ファスナは、胸部に対して上位位置において第１乳房サポートと第２乳房サポートを互いに可逆的に取り付けるように構成されている。いくつかの例では、少なくとも一の予備ファスナが第１乳房サポートと第２乳房サポートを、正中矢状面に対応するほぼ正中上位位置において互いに可逆的に取り付けるように構成されている。
【０１１６】
胸部サポートに使用している、第１、第２、予備、あるいはその他のファスナは、繊維業界など、この分野で知られているどのようなタイプのものであってもよい。いくつかの例では、ファスナは胸部サポート内で同じであっても異なるものであってもよく、少なくとも一の衣服型ファスナ又は包帯型ファスナを具える。例えば、限定するものではないが、ファスナは、ホックアンドループ型ファスナ、ボタンアンドホール型ファスナ、スナップファスナ、ホックアンドアイ型ファスナ、ベルトバックル型ファスナ、ひもファスナ、独立型ファスナ、からなる群から選択することができる。
【０１１７】
いくつかの例では、第１ファスナと第２ファスナが、第１支持圧力と第２支持圧力をそれぞれ互いから独立してかけるように構成されている
【０１１８】
いくつかの例では、第１ファスナと第２ファスナが、第２支持圧力と異なる第１支持圧力をかけるように構成されている。
【０１１９】
胸部サポートは、例えば、繊維及び／又はポリマ及び／又はプラスチック業界で知られている使い捨て材料からなる使い捨て製品として形成することができ、また、複数回使用に適した材料で形成することもできる。
【０１２０】
いくつかの例では、胸部サポートは、胸部サポートが胴体に巻き付いて胸部を支持する時に胴体の上側胸郭の左側部と上側胸郭の右側部の各々と重なり合うように胸部サポート上に配置した安定化パネル対を具え、各安定化パネル対は、少なくとも横方向にほぼ非弾性である。
【０１２１】
本開示はまた、胴体に胸部サポートを装着する方法を提供しており、この方法は：
（ａ）本明細書に開示した胸部サポートを提供するステップと；
（ｂ）胴体に胸部サポートを、第１乳房受けパネルが第１乳房領域に重なって隣接し、第２乳房受けパネルが第２乳房領域に重なって隣接し、連結が胴体の背部に重なって隣接するように巻きつけるステップと；
（ｃ）第１横側部を介して第１乳房受けパネルに第１張力をかけて、対応する第１位置において第１乳房受けパネルを第２乳房サポートに取り付けて第１張力を維持し、第１乳房領域に第１支持圧力を誘発するステップと；
（ｄ）第２横側部を介して第２乳房受けパネルに第２張力をかけて、対応する第２位置において第２乳房受けパネルを第１乳房サポートに取り付けて第２張力を維持し、第２乳房領域に第２支持圧力を誘発するステップと；
を具える。
【０１２２】
いくつかの例では、胸部サポート（特に第１乳房サポート）はさらに、第１外側横方向端部から突出する少なくとも一の第１予備舌部であって、装着状態において少なくとも一の第１位置で各第１予備舌部を第１予備舌部の一部が第１サポートに重なって隣接するように第１サポートに選択的かつ可逆的に取り付けるように構成されている第１予備ファスナを有する第１予備舌部を具え、第１支持圧力を強化するようにしている。例えば、各第１予備舌部は、その一端部で、対応する第１舌部の内側端に連結されており、少なくとも身体サポートを装着する前に、第１予備舌部が対応する第１舌部に重なる関係にあり、第１予備舌部が対応する第１舌部から離れてその一端の周りを回動して、第１予備舌部が第１サポートに取り付けられるようにしている。
【０１２３】
いくつかの例では、胸部サポート（特に第２乳房サポート）はさらに、追加で又は代替的に、第２外側横方向端部から突出する少なくとも一の第２予備舌部であって、装着状態において少なくとも一の第２位置で各第２予備舌部を第２予備舌部の一部が第２サポートの各部分に重なって隣接するように第２サポートに選択的かつ可逆的に取り付けるように構成されている第２予備ファスナを有する第２予備舌部を具え、第２支持圧力を強化するようにしている。例えば、各第２予備舌部は、その一端部で、対応する第２舌部の内側端部に連結されており、少なくとも身体サポートを装着する前に、第２予備舌部が対応する第２舌部に重なる関係にあり、第２予備舌部が対応する第２舌部から離れてその一端の周りを回動して、第２予備舌部が第２サポートに取り付けられるようにしている。
【０１２４】
少なくともいくつかの例では、脱着状態において、第１サポート及び第２サポートが、互いに、連結セクションを介して排他的に永久連結されている。
【０１２５】
少なくともいくつかの例では、少なくとも脱着状態において、第２外側横方向自由端部と第２外側横方向自由端部は、互いに切り離されている。
【０１２６】
少なくともいくつかの例では、少なくとも脱着状態において、第１サポートと第２サポートが互いに直接的に切り離されている。
【０１２７】
少なくともいくつかの例では、胸部を支持する胸部サポートの使用において、第２外側横方向自由端部と第２外側横方向自由端部の間に永久的な固定がない。
【０１２８】
少なくともいくつかの例では、装着状態において、排他的に胸部サポートが第１圧力と第２圧力を介して胸部に取り付けられている。
【０１２９】
少なくともいくつかの例では、第１支持圧力によって、胸部に胸部サポートを、胸部に対して大部分を横方向に、少なくとも一の第１舌部の大まかな位置で、締め付ける。
【０１３０】
少なくともいくつかの例では、第２圧力によって、胸部に胸部サポートを、胸部に対して大部分を横方向に、少なくとも一の第２舌部の大まかな位置で、締め付ける。
【０１３１】
いくつかの例では、少なくとも一の第１舌部が、少なくとも一の第２舌部に対して、平行に横方向にスペースを空けた関係にある。
【０１３２】
いくつかの例では、装着状態において、第１外側横方向端部の第１エッジが第１外側横方向端部の第２エッジに対して隣接している。
【０１３３】
少なくともいくつかの例では、装着状態において、第１外側横方向端部の第１エッジが、第１外側横方向端部の第２エッジと、交差構造における隣接ゾーンにおいて隣接しており、第１外側横方向端部の第１部分が第２外側横方向端部の第１部分の上にあり、同時に、第２外側横方向端部の第２部分が第１外側横方向端部の第２部分の上にある。
【０１３４】
ここに開示した主題の上述した態様によれば、例えば、装着状態において、例えば胸部を支持するための、身体部分を支持する様々な身体サポートが提供されている。いくつかの例では、身体サポートは、このサポートから外側に突出する一またはそれ以上の第１舌部を有する第１サポートパネルと、外側に突出する一またはそれ以上の第２舌部を有する第２サポートパネルと、身体サポートの仮想縦正中線に沿って縦方向にスペースを空けて第１サポートパネルを第２サポートパネルに連結する連結セクションと、身体サポートの正中線の対向する横側部にある第１舌部及び第２舌部と、第１ファスナ及び第２ファスナと、を具える。身体サポートはさらに、脱着状態を有し、ここでは第１サポートパネルと第２サポートパネルが互いに対して非接触である。
【０１３５】
ここに開示した主題の少なくとも一例の特徴は、身体サポートによって一の乳房領域にかける圧力レベルを、その他の乳房領域に胸部サポートによってかけることができる圧力レベルから独立して設定することができる。
【０１３６】
ここに開示した主題の少なくとも一例の特徴は、胸部サポートによって一の乳房領域にかける圧力レベルを、その他の乳房領域に胸部サポートによってかけることができる圧力レベルと異なる（より高い又はより低い）レベルに設定することができる。
【０１３７】
ここに開示した主題の少なくとも一例の特徴は、二つの乳房領域を、高位で、また低位で、同時にしっかり支持することができることである。
【０１３８】
これらの特徴は各々、例えば、乳房及び近傍の領域における外科的侵襲を含め医療及び／又は美容手術を含む、あらゆる種類の乳房手術に利点となりうる。
【０１３９】
外科手術後の場合などのいくつかの例では、胸部サポートは、外科的切除後に影響を受ける滲出液やその他の流体を吸収する材料といった、損傷ドレッシング材料と組み合わせることができる。
【０１４０】
いくつかの例では、胸部サポートは、損傷の治癒を容易にする物質を担持することができる。
【図面の簡単な説明】
【０１４１】
ここに開示した主題のより良い理解のため、また、この主題を実際にどのように実施するかを実例で説明するために、非限定的な例示により、以下に実施例を説明する。
【図１】図１は、拡げた構造の胸部サポートの一例を示す背面図である。
【図２】図２は、図１に示す例を脱着して広げた構造で示す正面図である。
【図３】図３は、女性ヒトの胴体上側の一例を示す部分的斜視図である。
【図４】図４は、固定したあるいは装着状態における図１及び２に示す例を、図３に示す胴体に取り付けた斜視図であり、図４（ａ）は、図４に示す例の代替例を、図３の胴体に取り付けた固定構造で示す斜視図であり、図４（ｂ）は、図４の例の斜視図であるが、明確化のために一方の乳房サポートを図から除去した図であり、図４（ｃ）は、図４及び４（ｂ）に示す例の斜視図であり、明確化のために、もう一方の乳房サポートを図から除去した図である。
【図５】図５（ａ）、図５（ｂ）、図５（ｃ）、図５（ｄ）、図５（ｅ）、及び図５（ｆ）は、それぞれ、一製法例に従った図１に示す例の製造における、第１、第２、第３、第４、第５、及び第６ステップを示す図である。
【図６】図６は、図３に示す胴体に固定する／装着する前の図１及び図２に示す例の斜視図である。
【図７】図７は、図３に示す胴体に固定されている図６に示す例の斜視図である。
【図８】図８は、図３に示す胴体に部分的に固定／装着されている図６及び７に示す例の斜視図である。
【図９】図９ａは、図１に示す例の代替例を広げて脱着した構造で示す背面図であり、図９（ｂ）は、図９（ａ）に示す例を広げて脱着した構造で示す正面図である。
【図１０】図１０（ａ）は、図１に示す例の別の代替例を、固定して装着した構造で示す正面斜視図であり、図１０（ｂ）は、図１０（ａ）に示す例を広げて脱着した構造で示す正面図である。
【図１１】図１１（ａ）は、図１０（ａ）及び１０（ｂ）に示す例の代替例を、固定した装着状態で示す正面斜視図であり、図１１（ｂ）は、図１１（ａ）に示す例を広げた脱着状態で示す正面図である。
【図１２】図１２（ａ）は、図１に示す例のべつの代替例を、固定した装着状態で示す正面斜視図であり、図１２（ｂ）は、図１２（ａ）に示す例を、広げた脱着状態で示す正面図である。
【図１３】図１３（ａ）は、図１に示す例のべつの代替例を、固定した装着状態で示す斜視図であり、図１３（ｂ）は、図１３（ａ）に示す例を、広げた脱着状態で示す正面図である。
【図１４】図１４（ａ）は、図１に示す例のべつの代替例を、固定した装着状態で示す斜視図であり、図１４（ｂ）は、図１４（ａ）に示す例を、広げた脱着状態で示す正面図である。
【図１５】図１５（ａ）は、図１に示す例のべつの代替例を、固定した装着状態で示す斜視図であり、図１５（ｂ）は、図１５（ａ）に示す例を、広げた脱着状態で示す正面図である。
【発明を実施するための形態】
【０１４２】
図１及び２を参照すると、ここに開示した主題の第１実施例による身体サポートが示されている。この身体サポートは、身体部分を覆って支持するように構成されている。特に、身体サポートは、身体部分の第１身体領域と第２身体領域を少なくとも覆って支持するように構成されており、第１身体領域と第２身体領域はそれぞれ、身体部分の正中面の異なる側面である。
【０１４３】
本例では、身体サポートは、胸部サポートの形をとっており、身体部分はヒトの胸部である。しかしながら、ここで明確になるように、この例の変形例は、変更すべきところは変更して、例えば、とりわけ、腕、掌、指、脚、足、つま先、腹部、腰、首、のいずれか一つを含む、ヒトの又は動物のその他の身体部分を覆い支持するように提供することができる。
【０１４４】
図１及び図２を参照すると、本例による胸部サポートは、符号１００が付けられており、第１乳房サポート１２０である第１サポート（同様に、第１乳房サポートパネル、あるいは、第１サポートパネルともいう）と、第２乳房サポートである第２サポート１４０（同様に、第２乳房サポートパネル、あるいは、第２サポートパネルともいう）と、連結セクション１６０と、第１ファスナ１７０と、第２ファスナ１９０とを具える。
【０１４５】
ここで明らかなように、本開示の主題の身体サポートである、本例の胸部サポート１００は、装着状態（例えば、胸部サポート１００が胸部に固定されているというように、身体サポートが身体部分に固定されている）と脱着状態（例えば、胸部サポート１００が胸部に固定されておらず、典型的には胸部から取り外されているというように、身体サポートが身体部分に取り付けられておらず、典型的には身体部分から取り外されている）を有する。
【０１４６】
図３を参照すると、胸部サポート１００は、ヒト、特に女性のヒトの胸部Ｃ（上述の身体部分に対応）の第１乳房領域Ａ（第１身体領域に対応）と第２乳房領域（第２身体領域に対応）を覆い、支持するように構成されている。本開示の主題の実施例に係る胸部サポート１００は、弾性のヒト、あるいはその他のヒト、あるいは、例えば少なくともいくつかの霊長類といった、いくつかのタイプの動物の胸部の対応する第１乳房領域及び対応する第２乳房領域を覆い支持するのに使用することができる。
【０１４７】
以下の実施例では、理解を容易にするために、第１乳房領域Ａは胸部Ｃの右側であり、したがって、右乳房領域Ａとも言う。一方、第２乳房領域Ｂは胸部Ｃの左側にあり、従って、左乳房領域Ｂということがある。その他の実施例では、第１乳房領域Ａの代わりに、胸部Ｃの左側と呼ぶこともあり、第２乳房領域Ｂを胸部Ｃの右側ということもある。逆も同じである。
【０１４８】
各乳房領域Ａ、Ｂは、名目上、各乳房を含むが、いくつかの場合はこれに代えて、例えば大きな外傷あるいは手術の後、一方の乳房が部分的にあるいは全体的に除去されている胸部Ｃの領域を含むものでもよく、または、乳房があったであろう場所に、乳房が形成されていない、又は奇形（例えば、なんらかの出生異常により）であってもよい。このように、各乳房領域Ａ、Ｂは、身体部分の正中線、とくに胸部Ｃを含む上側胴体Ｅの正中矢状面ＳＧの異なる側部にある。
【０１４９】
第１乳房サポート１２０は、部分的にあるいは全体が弾性であり、弾性第１乳房受けパネル１２２と、第１乳房受けパネル１２２の横方向の両側面に、第１内側横方向端部１２４と、フレキブルな第１外側横方向自由端部１２６を具える。使用時には、図４に最もよく見られるように、第１乳房受けパネル１２２が、第１乳房領域Ａと重なって隣接している（少なくとも、部分的に、好ましくは全体的に）。さらに、第１乳房受けパネル１２２は、弾性材料、または、第１引張加重Ｔ１（交換可能に、第１張力ともいう）が第１乳房受けパネル１２２にかかったときに支持圧力Ｐ１を各第１乳房領域Ａにかける弾性材料の組み合わせでできている、あるいはこのような弾性材料を含む。このような第１引張加重Ｔ１は、例えば、第１乳房受けパネル１２２が第１乳房領域Ａと重なって隣接しているときに、第１外側横方向自由端部１２６を横方向に引っ張ることによってかけることができる。
【０１５０】
本例のようないくつかの実施例では、第１乳房サポート１２０と、特に第１乳房受けパネル１２２が平坦な多層パネルとして形成されている。しかしながら、本例の代替変形例においては、第１乳房サポート１２０と、特に第１乳房受けパネル１２２は、例えば、カップ形状の凹面で形成されていてもよく、その内側凹面が、少なくとも部分的に対応する第１乳房領域Ａの外側形状に対して相補である形状を有する。
【０１５１】
第２乳房サポート１４０は、部分的あるいは全体的に弾性であり、弾性第２乳房受けパネル１４２と、第２乳房受けパネル１４２の対向する横方向の両側面に、第２内側横方向端部１４４と、フレキブルな第２外側横方向自由端部１４６を具える。使用時には、第２乳房受けパネル１４２が、第２乳房領域Ｂと重なって隣接している（少なくとも、部分的に、好ましくは全体的に）。さらに、第２乳房受けパネル１４２は、弾性材料、または、第２引張加重Ｔ２（交換可能に、第２張力ともいう）が第２乳房受けパネル１４２にかかったときに支持圧力Ｐ２を各第２乳房領域Ｂにかける弾性材料の組み合わせでできている、あるいはこのような弾性材料を含む。このような第２引張加重Ｔ２は、例えば、第２乳房受けパネル１４２が第２乳房領域Ｂと重なって隣接しているときに、第２外側横方向自由端部１４６を横方向に引っ張ることによってかけることができる。
【０１５２】
本例のようないくつかの実施例では、第２乳房サポート１４０と、特に第１乳房受けパネル１４２が平坦な多層パネルとして形成されている。しかしながら、本例の代替変形例においては、第２乳房サポート１４０と、特に第２乳房受けパネル１４２は、例えば、カップ形状の凹面で形成されていてもよく、その内側凹面が、少なくとも部分的に対応する第２乳房領域Ｂの外側形状に対して相補である形状を有する。
【０１５３】
連結セクション１６０はフレキシブルであり第１乳房サポート１２０と、第２乳房サポート１４０の各々に連結されている。使用時には、装着状態において、連結セクション１６０は、胴体Ｅの背部Ｄと重なって隣接している。連結セクションは、本質的に、第１乳房サポート１２０と、第２乳房サポート１４０との間に機械的連続性を提供し、各第１乳房受けパネル１２２と第２乳房受けパネルとの間に適当なスペースＳを提供する。
【０１５４】
連続して連結された第１乳房サポート１２０と、連結セクション１６０と、第２乳房サポート１４０は、互いに、一般的に細長いバンド形状であり、第１外側横方向端部１２６と第２外側横方向端部１４６に対応する対向する自由端を有する装着型カバー１１０を形成している。ここで、これらの自由端は結合しておらず、少なくとも脱着状態においては、互いに対して非連続である。このバンド状カバー１１０は、内向側部１１２（図１）と外向側部１１４（図２）を具えており、装着状態において、胴Ｅに対向してほぼ接触している内向側部１１２胸部サポート１００を胴Ｅに巻き付けて、胴Ｅをサポートすることができる。特に、バンド状カバー１１０は、カバー１１０が胴Ｅに巻き付いており、第１ファスナ１７０と第２ファスナ１９０を介して胴Ｅに固定されているときに、胸部サポート１００が胸部Ｃ、特に、乳房領域ＡとＢの各々を互いから独立してサポートできるようになっている。
【０１５５】
スペースＳは、胸部サポート１００が胴Ｅに巻き付いて支持しており、連結セクション１６０が胸部の背部Ｄに重なって隣接しているときに、第１乳房受けパネル１２２を第１乳房領域Ａと、また第２乳房受けパネル１４２を第２乳房領域Ｂと、同時に重なって隣接するような寸法である、あるいはそのように構成されている。
【０１５６】
特に、少なくともこの実施例では、連結セクション１６０がフラットパネル又はストラップの形状であり、第１内側横方向端部１２４と第２内側横方向端部１４４に、連結セクション１６０の対向する横方向端部１６２、１６４の各々を介して横方向に連結されている。この実施例の代替変形例では、連結セクション１６０が、代わりに、例えば、第１内側横方向端部１２４と第２内側横方向端部１４４に連結された複数のストラップ又はコードを具えている。
【０１５７】
第１外側横方向端部１２６には、連結セクション１６０から離れる方向に、第１乳房受けパネル１２２からほぼ横方向に（すなわち、縦方向に）突出する第１舌部１２５が形成されている。第１ファスナ１７０が、第１外側横方向端部１２６、特に第１舌部１２５に関連しており、少なくともいくつかの実施例では、第１ファスナ１７０の一部又はすべてが第１外側横方向端部１２６、特に第１舌部１２５に固定されている。
【０１５８】
同様に、第２外側横方向端部１４６には、連結セクション１６０から離れる方向に、第２乳房受けパネル１４２からほぼ横方向に（すなわち、縦方向に）突出する第２舌部１４５が形成されている。第２ファスナ１９０が、第２外側横方向端部１４６、特に第１舌部１２５に関連しており、少なくともいくつかの実施例では、第２ファスナ１９０の一部又はすべてが第２外側横方向端部１４６、特に第１舌部１２５に固定されている。
【０１５９】
したがって、図面に明らかに示すように、また、上述したように、第１外側横方向端部１２６は自由端であり、第２外側横方向端部１４６も自由端である。このように、脱着状態において（例えば、図１及び２に示す）、第１外側横方向端部１２６と第２外側横方向端部１４６は互いに連結されておらず、互いに対して非連続である。また、同様に、少なくともいくつかの実施例では、脱着状態において、第１サポート（例えば、第１乳房サポート１２０の形である）と第２サポート（例えば、第２乳房サポート１４０の形である）は、互いに対して排他的に、すなわち、連結セクション１６０を介してのみ、永久連結されている。少なくとも脱着状態においては、第１サポート（例えば、第１乳房サポート１２０の形である）と第２サポート（例えば、第２乳房サポート１４０の形である）は、互いに対して直接的に連結されていない。したがって、身体サポート（本例では、胸部サポート１００）の使用において、身体部分（本例では、胸部）を支持する際に、第１外側横方向自由端部と第２外側横方向自由端部の間に永久的な固定はなく、特に、第１外側横方向自由端部と第２外側横方向自由端部の間に直接的な永久的固定はない。
【０１６０】
図２に見られるように、例えば、胸部サポート１００は、胸部サポートの縦方向の中央線（交換可能に、軸Ｚともいう）に対して非対称ジオメトリを示しており、第１外側横方向端部１２６と第２外側横方向端部１４６は、軸Ｚの対向する横側部にある。本例では、第１外側横方向端部１２６は、この図でＺ軸の上に見られるように、中央線の第１横側部上で中央線から横方向にスペースを空けて配置されており、対応する乳房領域Ｂの上部の上に重なるように構成されている。一方、第２外側横方向端部１４６は、この図でＺ軸の下に見られるように、中央線の第２横側部上で中央線から横方向にスペースを空けて配置されており、例えば、図４に示すように、対応する乳房領域Ａの下部に重なるように構成されている。明らかに、第１横側部と第２横側部は、中央線の対向する横側部である。
【０１６１】
また、これらの図面から、少なくともこれらの実施例において、第１舌部１２５が、第２舌部１４５に対してほぼ横方向に平行にスペースを空けた関係にあることも明らかである。
【０１６２】
本実施例の代替変形例では、図２に示すように、第１舌部１２５を具える第１外側横方向端部１２６は、Ｚ軸の下に設けることができ、第２舌部１４５を具える第２外側横方向端部１４６は、Ｚ軸の上に設けることができる。したがって、代わりに、外側横方向端部１２６、特に、第１舌部１２５は、対応する乳房領域Ｂの下側部分と重なるように構成され、一方、第２外側横方向端部１４６、特に、第２舌部１４５は、図４（ａ）に示すように、対応する乳房領域Ａの上側部分に重なるように構成されている。
【０１６３】
第１ファスナ１７０は、第１外側横方向端部１２６（特に、第１舌部１２５）を第２乳房サポート１４０に選択的かつ可逆的に取り付けるように構成して、これによって、カバー１１０を胴Ｅに少なくとも部分的に固定する、すなわち、装着状態にする。少なくともこの実施例では、第１外側横方向端部１２６（特に、第１舌部１２５）は、第２乳房サポート１４０に固定されると、それに対して重なって隣接する。さらに、第１ファスナ１７０は、第１外側横方向端部１２６（特に第１舌部１２５）が第２乳房サポート１４０にこのように取り付けられるときに、第１引張荷重Ｔ１を第１乳房受けパネル１２２に同時に提供するように構成されている。特に、少なくともこの実施例では、第１外側横方向端部１２６（特に、第１舌部１２５）、又は少なくともその一部が、第２乳房サポート１４０に取り付けられると、その対応する外向部分、例えば、上の外向部分と重なって隣接する。
【０１６４】
少なくともこの実施例では、胸部サポート１００、特に第１ファスナ１７０が、第１引張荷重Ｔ１のレベルを、第１乳房受けパネル１２２の弾性に関連する引張荷重の所望の範囲内で、選択的に所望の値にできるように構成されている。少なくともこの実施例では、第１ファスナ１７０によって、第１外側横方向自由端部１２６（特に、第１舌部１２５）を、第１乳房受けパネル１２２が第１乳房領域Ａと重なって隣接している時に、第２乳房サポート１４０に向けてほぼ横方向に引っ張ることができるように構成されている。第１外側横方向端部１２６（特に、第１舌部１２５）が第２乳房サポート１４０に向けて横方向に引っ張られるほど（第１乳房受けパネル１２２は、第１乳房領域Ａと重なって隣接した状態を維持したまま）、第１引張荷重Ｔ１は大きくなり、したがって、第１乳房受けパネル１２２によって第１乳房領域Ａにかかる第１支持圧力Ｐ１が大きくなる。この状態で、第１外側横方向端部１２６（特に、第１舌部１２５）が第２乳房サポート１４０の方向に横方向により引っ張られるので、第１外側横方向端部１２６（特に、第１舌部１２５）は、少なくとも第１乳房受けパネル１２２の弾性及び弾性伸縮によって、異なる位置Ｑ１の範囲を超えて、第２乳房サポート１４０の上に横方向に変位する（この範囲における各位置Ｑ１は、第１乳房受けパネル１２２から、徐々にさらに離れてゆく）。第１ファスナ１７０は、第１外側横方向端部１２６（特に、第１舌部１２５）が、この範囲における位置Ｑ１のいずれかに取り付けられるように構成されており、したがって、いずれかの特別な位置Ｑ１に取り付けられると、第１引張荷重Ｔ１の対応する値が、第１乳房受けパネル１２２に適用される。各位置Ｑ１は、第１外側横方向端部１２６と第２乳房サポート１４０巻の相対空間位置に対応する。
【０１６５】
また、少なくともこれらの実施例では、第１ファスナ１７０が第１舌部１２５を第２サポートパネルに、第１舌部１２５が配置されている中央線と同じ横側部、この例では、中央線の第１横側部の少なくとも一の相対空間位置に、選択的かつ可逆的に取り付けるように動作することはこれらの図面から明らかである。各位置Ｑ１では、第１外側横方向端部１２６（特に、第１舌部１２５）、又は少なくともその一部が、対応する外向部分、例えば、第２乳房サポート１４０に取り付けたときのその上側の外向部分と重なって隣接している。
【０１６６】
少なくともこの第１ファスナ１７０は、第１外側横方向端部１２６（特に、第１舌部１２５）に永久的に固定されている第１外側横方向端部のファスナ部分１７２と、第２乳房サポート１４０に永久的に固定されている第１乳房パネル締結部分１７４とを具える。第１外側横方向端部のファスナ部分１７２は、第１乳房パネル締結部分１７４と可逆的に係合するように構成されており、多くの異なる形をとることができる。この例では、第１ファスナ１７０は、ホックアンドループタイプのファスナであり、例えば、ベロクロファスナなど通常市販されているファスナを含む。したがって、第１外側横方向端部のファスナ部分１７２は、複数の小さなホックをその表面に具えており、このホックが、第１乳房パネル締結部分１７４の外向表面に設けた複数の小さなフープと可逆的に係合する。
【０１６７】
本例では、第２乳房受けパネル１４２の外側全面、又は、第２乳房サポート１４０の外側全面に、このような小さなフープを形成してもよく、これは第１乳房パネル締結部分１７４は第２乳房受けパネル１４２全体に、又は、第２乳房サポート１４０の外側全面に、それぞれ、対応して延在する。このようにして、第１外側横方向端部のファスナ部分１７２は、いずれかの第１位置Ｑ１で、第２乳房受けパネル１４２の外側全面の上に、あるいは、いずれかの第１位置Ｑ１で、第２乳房サポート１４０の外側全面の上に、それぞれ可逆的に取り付けることができる。
【０１６８】
本実施例の代替変形例では、第１乳房パネル締結部分１７４が、その外向面に複数のホックを具え、これが、第１外側横方向端部のファスナ部分１７２の表面に設けた複数の小さなホックと係合するようにしてもよい。
【０１６９】
本実施例の更なる変形例では、第１ファスナ１７０がその他の異なる形状であってもよく、これには、自体が知られているように、例えば、少なくともいくつかのタイプの衣類用ファスナまたはバンデージファスナを含まれる。
【０１７０】
例えば、本実施例の少なくともいくつかのこのような変形例においては、第１ファスナ１７０が、ボタンとホールの締結構造を具えていてもよい。例えば、第１外側横方向端部のファスナ部分１７２は、少なくとも一のボタンを具え、第１乳房パネル締結部分１７４が、第２乳房受けパネル１４２又は第２乳房サポート１４０の第１位置Ｑ１に形成した複数のホール又はスリットを具えており、ボタンがこのホール／スリットの所望する一方とどの時点においても係合可能であり、このボタンは、ホール／スリットの所望する一方とどの位置においても選択的に係合可能であり、これによって、ファスナを対応する第１位置Ｑ１に可逆的に取り付けることができる。代替的に、第１外側横方向端部のファスナ部分１７２は、少なくとも一のホール又はスリットを具えており、第１乳房パネル締結部分１７４が第２乳房受けパネル１４２又は第２乳房の第１位置Ｑ１に形成した複数のボタンを具えている。この逆もしかりである。本実施例のべつの代替変形例では、第１ファスナ１７０が、スナップファスナ（プレススタッド、ポッパー、スナップ、あるいはティッチ）；ホックアンドアイファスナ、ベルトバックル型ファスナ、その他の一またはそれ以上を具えていてもよい。本実施例の更なる代替変形例では、第１外側横方向端部のファスナ部分１７２と、第１乳房パネル締結部分１７４がそれぞれ、ある長さのひも又は同様のものを具えており、この２本のひもをノットに結ぶようにしてもよい。
【０１７１】
第１ファスナ１７０は、独立型ファスナであり、したがって、第１外側横方向端部１２６（特に、第１舌部１２５の独立性）及び／又は第２乳房サポート１４０から独立しており、少なくとも締結前は、いずれにも永久的に取り付けられていない。例えば、独立型ファスナの形の第１ファスナ１７０は、第１外側横方向端部１２６（特に、第１舌部１２５）と第２乳房サポート１４０の両方に同時に係合することができる安全ピン、適切なバンデージクリップ、接着テープのいずれかを具えており、これによって、締結動作に応じてこれらの二つの要素を互いに可逆的に取り付けることができる。
【０１７２】
第２ファスナ１９０は第１ファスナ１７０と同様であり、第２外側横方向端部１４６（特に、第２舌部１４５）を第１乳房サポート１２０に選択的かつ可逆的に取り付けるように構成されており、これによって、装着状態において、カバー１１０を胴体Ｅに少なくとも部分的に取り付けることができる。少なくとも本実施例では、第２外側横方向端部１４６（特に、第２舌部１４５）は、第１乳房サポート１２０に取り付けられたとき、すなわち、装着状態において、第１乳房サポート１２０に対して重なって隣接している。さらに、第２ファスナ１９０は、第２外側横方向端部１４６（特に、第２舌部１４５）がこのように第１乳房サポート１２０に取り付けられると、同時に第２引張荷重Ｔ２を第２乳房受けパネル１４２へ提供するように構成されている。特に、少なくとも本実施例では、第２外側横方向端部１４６（特に、第２舌部１４５）、又は少なくともその一部は、第１乳房サポート１２０に取り付けられると、対応する外向部分、例えば、第１乳房サポート１２０の外向下側部分と重なって隣接する。
【０１７３】
少なくとも本実施例では、胸部サポート１００、特に、第２ファスナ１９０も、第２引張荷重Ｔ２のレベルを、第２乳房受けパネル１４２の弾性に相関する引張荷重の所定の範囲内で、所望の値（第１引張荷重Ｔ１のレベルとは独立して）に選択的に設定できるように構成されている。少なくとも本例では、第２ファスナ１９０によって、第２外側横方向自由端部１４６（特に、第２舌部１４５）が、第２乳房受けパネル１４２が第２乳房領域Ｂと重なって隣接しているときに、第１乳房サポート１２０に向けて横方向に引っ張られる。第２外側横方向端部１４６（特に、第２舌部１４５）が第１乳房サポート１２０に向けて横方向に引っ張られるほど（第２乳房受けパネル１４２の第２乳房領域Ｂと重なって隣接した関係を維持しつつ）、第２引張荷重Ｔ２が大きくなり、したがって、第２乳房受けパネル１４２によって第２乳房領域Ｂにかかる第２支持圧力Ｐ２が大きくなる。この状態では、第２外側横方向端部１４６（特に、第２舌部１４５）がほぼ横方向に、第１乳房サポート１２０に向けてもっと引っ張られ、第２外側横方向端部１４６（特に、第２舌部１４５）は、少なくとも第２乳房受けパネル１４２の弾性と弾性伸びによって、第１乳房サポート１２０を超えて異なる位置Ｑ２の範囲を超えて横方向に配置される（この範囲内の各位置Ｑ２は、第２乳房受けパネル１４２から徐々に遠ざかっている）。第２ファスナ１９０は、第２外側横方向端部１４６（特に、第２舌部１４５）がこの範囲の位置Ｑ２のいずれかに取り付けられるように構成されており、したがって、特定の位置Ｑ２に取り付けられると、対応する値の第２引張荷重Ｔ２が、第２乳房受けパネル１４２にかかる。各位置Ｑ２は、第２外側横方向端部１４６（特に、第２舌部１４５）と第１乳房サポート１２０との間の各相対的空間配列に対応している。
【０１７４】
図面から、少なくともこれらの実施例では、第２ファスナ１９０が第２舌部１４５を第１支持パネルに、第２舌部１４５が配置されている正中線の同じ横側部、この例では、正中線の第２横側部上の、少なくとも一の第１相対的空間配列において選択的かつ可逆的に取り付けるように動作することが明らかである。
【０１７５】
各位置Ｑ２において、第２外側横方向端部１４６（特に、第２舌部１４５）又は少なくともその一部が、対応する外向部分、例えば、第１乳房サポート１２０に取り付けた場合は第１乳房サポート１２０の外向下側部分、と重なって隣接する関係にある。
【０１７６】
少なくとも本例では、第２ファスナ１９０が第２外側横方向端部１４６（特に、第２舌部１４５）に永久固定された第２外側横方向端部のファスナ部分１９２と、第１乳房サポート１２０に永久固定された第２乳房パネル締結部分１９４を具える。第２外側横方向端部のファスナ部分１９２は、第２乳房パネル締結部分１９４に可逆的に係合するように構成されており、多くの様々な形態のいずれを取ってもよい。本例では、第２ファスナ１９０は、ホックアンドループ型ファスナであり、例えば、一般的にベロクロファスナとして売られているファスナを含む。このように、第２外側横方向端部のファスナ部分１９２は、その表面に複数の小さいホックを具えており、これが、第２乳房パネル締結部分１９４の外側表面に設けた複数の小さいループに可逆的に係合する。
【０１７７】
本例では、第１乳房受けパネル１２２の外側表面全体、あるいは、第１乳房サポート１２０の外側表面全体に、このような小さなフープを形成し、第２乳房パネル締結部分１９４が対応して、第１乳房受けパネル１２２全体に、あるいは、第１乳房サポート１２０の外側表面全体に延在していてもよい。このようにして、第２外側横方向端部のファスナ部分１９２は、いずれかの第２位置Ｑ２において第１乳房受けパネル１２２の外側尿面全体にわたって、あるいはいずれかの第２位置Ｑ２において第１乳房サポート１２０の外側表面全体にわたって、可逆的に取り付けられる。
【０１７８】
本実施例の代替変形例では、第２乳房パネル締結部分１９４が、その外側表面全体に複数の小さなホックを具えており、第２外側横方向端部のファスナ部分１９２の表面に設けた複数の小さなフープに可逆的に係合するようにしてもよい。
【０１７９】
本実施例の更なる代替変形例では、第２ファスナ１９０が、例えば、少なくともいくつかのタイプの医療ファスナ又はバンデージファスナを含めて、自体が知られている他の異なる形をとってもよい。
【０１８０】
例えば、本実施例の少なくともいくつかの変形例では、第２ファスナ１９０は、例えば、第１ファスナについて上述したボタンアンドホール締結構造を変形するべきところを変形して、具えていてもよい。本実施例のべつの代替例では、第２ファスナ１９０は、スナップファスナ（プレススタッド、ポッパー、スナップ、又はティッチ、などとして知られている）；ホックアンドアイファスナ；ベルトバックル型ファスナ；その他のうちの一またはそれ以上を具えていてもよい。本実施例のさらに別の代替例では、第２外側横方向端部のファスナ部分１９２と第２乳房パネル締結部分１９４がそれぞれ、ある長さのひも、又はそのようなものを具えていてもよく、二本のひもをノットで結ぶことができる。
【０１８１】
本実施例の別の代替例では、第２ファスナ１９０が独立型ファスナであり、したがって、第２外側横方向端部１４６及び／又は第１乳房サポート１２０から独立しており、例えば、変更するところは変更して第１ファスナについての上述の記載の通り、少なくとも締結動作の前は、いずれにも永久的に取り付けられていない。
【０１８２】
このように、本実施例、及びその他の実施例では、装着状態において、身体サポート（本例では、胸部サポート１００）が身体部分（本例では胸部）に、追加の支持具あるいはその他の支持構造を必要とすることなく（例えば、肩紐などを必要とすることなく）、排他的に第１支持圧力及び第２圧力を介して取り付けられている。さらに、本実施例、及びその他の実施例では、第１支持圧力によって、身体部分（本実施例では、胸部）上の身体サポートの引き締め（本例では、胸部サポート１００の引き締め）が、第１舌部のおよその位置で、身体部分に対して主に横方向に行われる（例えば、図３のＧＬ１に示されている）ことも明らかである。さらに、本実施例及びその他の実施例では、本実施例及びその他の実施例では、第２支持圧力によって、身体サポート（本実施例では、胸部サポート１００）の身体部分（本例では、胸部）にわたる引き締めが、第２舌部のおよその位置で、身体部分に対して主に横方向に行われる（例えば、図３のＧＬ２に示されている）ことも明らかである。
【０１８３】
本例では、第１舌部１２５が横方向にスペースを空けることによって、第２舌部１４５に対して横方向にスペースを空けて配置され、この横方向のスペースは、通常、少なくとも乳房領域に関連する高さである。
【０１８４】
例えば、図２及び４、４（ｂ）、４（ｃ）を参照すると、装着状態において、第１外側横方向端部１２６の第１端部１２７が第１外側横方向端部１４６の第２エッジと隣接している。さらに、図４に最もよく見られるように、装着状態において、第１端部１２６は、交差構造において、隣接ゾーンＡＺで第２端部１４６と隣接している。ここで、「交差構造」とは、これらの二つの端部間の隣接を意味し、ここで、端部は完全に共整列しておらず、これによって二つの乳房サポート１２０、１４０の各々のいくらかの部分の交差がほかの乳房サポートの上に、また、二つの乳房サポートのその他の部分がほかの乳房サポートの下にくる。例えば、図４（ｂ）と図４（ｃ）と共に図４を参照すると、第１端部１２７は二つの部分１２７ａと、１２７ｂに分けることができ、これらは隣接ゾーンＡＺで一体になる。端部１２７ａは、第１舌部１２５に沿って延在し、第２乳房サポート１４０の上にあり、端部１２７ｂは、第２乳房サポート１４０の一部の上にある。換言すると、端部１２７、１４７の隣接による結果としての交差構造によって、第１外側横方向端部１２６の第１部分１２６ａが第２外側横方向端部１４６の第１部分１４６ａに重なり、同時に、第２外側横方向端部１４６の第１部分１４６ａが、第１外側横方向端部１２６の第２部分１２６ｂに重なる。
【０１８５】
理論に拘束されることなく、この交差構造によって、第１舌部１２５が引っ張られ、第１引張荷重Ｔ１が生じる。この荷重は、同時に装着手順の間第２端部１４７によって抵抗を受け、これによって、所望の第１圧力Ｐ１を設定する。さらに、第２舌部１４５を独立して引っ張り、第２引張荷重Ｔ２が生じる。この荷重は同時に装着手順の間第１端部１２７によって抵抗を受け、これによって、所望の第２圧力Ｐ２を設定する。
【０１８６】
図１５（ａ）及び１５（ｂ）を参照すると、図１及び２に記載の実施例の代替例において、隣接ゾーンＡＺがさらに強化されており、中央線またはＺ軸までその根元が横方向内側に延在する、第１舌部１２５と第２舌部１４５を提供することによって、よりばらばらに規定されている。
【０１８７】
本例では、胸部サポート１００がさらに、第１乳房サポート１２０と第２乳房サポート１４０を、胸部Ｃに対する上位位置、特に、中央線に近い上位側で、一般的に正中矢状面ＳＧに対応する位置で可逆的に互いに取り付ける第１予備ファスナ１８０を具える。この位置は、隣接ゾーンＡＺにほぼ対応する。理論にとらわれることなく、発明者は、第１乳房サポート１２０と第２乳房サポート１４０を第１予備ファスナ１８０を介して互いに係合させることは、連続する第１ファスナ１７０の取り付け動作及び／又は第２ファスナ１９０の取り付け動作を容易にすると考えている。
【０１８８】
本例では、第１予備ファスナ１８０が、第１乳房サポート１２０に永久固定されている第１乳房サポートファスナ部分１８２と、第２乳房サポート１４０に永久固定されている第２乳房サポートファスナ部分１８４を具える。第１乳房サポートファスナ部分１８２は、第２乳房サポートファスナ部分１８４と可逆的に係合するように構成されている。第２乳房サポートファスナ部分１８４は、特に、第２乳房サポート１４０の外向面上に位置する、バンド状のカバー１１０の外向側部１１４の上のファスナ領域１８５の上、に規定されている。
【０１８９】
本例では、第１乳房サポートファスナ部分１８２が、連結セクション１６０から離れる横方向に第１乳房サポート１２０から外側に向けて突出している舌部又はタブ１８３上に設けられている。このタブ１８３は、形状がファスナ領域１８５にほぼ似ており、タブ１８３がファスナ領域１８５と重なり合うときに、第１乳房サポートファスナ部分１８２が第２乳房サポートファスナ部分１８４に係合するように、第１乳房サポート１２０に対して配置されている。さらに、カバー１１０は、このような胴体Ｅをに巻き付いてぴったり接しているカバー１１０と同時に重なり合う関係を提供するように構成されている（例えば、適宜の長さを有すること及び／又は十分にしなやかである及び／又は伸縮性があることによって）。
【０１９０】
第１予備ファスナ１８０と、実際は第１乳房サポートファスナ部分１８２と第２乳房サポートファスナ部分１８４は、例えば、変更するところは変更して第１ファスナ１７０、第１外側横方向端部のファスナ部分１７２、及び第１乳房パネル締結部分１７４用に開示されているような、多くの異なる形のいずれをも、取ることができる。例えば、第１予備ファスナ１８０は、例えば、ベロクロファスナとして一般的に市販されているホックアンドループ型ファスナであり、第１乳房サポートファスナ部分１８２は、表面に複数の小さなホックを具え、これが、第２乳房サポートファスナ部分１８４の外向面に設けた複数の小さなフープと可逆的に係合するように、あるいは逆に構成されている。代替的に、上述した通り、第１予備ファスナ１８０は、例えば、衣類用ファスナ、例えばバンデージファスナを具えていてもよく、ボタンアンドホールファスナ；スナップファスナ、ホックアンドアイファスナ；ベルトバックル型ファスナ、ストリングファスナ；独立型ファスナのいずれかを具えていてもよい。
【０１９１】
図９（ａ）及び９（ｂ）を参照すると、第１実施例の代替変形例において、タブ１８３は、Ｓ字型ファスナ領域１８５とほぼ形状が似ている外側横方向端部１２６の外周部分のプロファイルを密接になぞったＳ字形状を有する。図１及び２の実施例と同様に、ファスナ領域１８５は、第１乳房サポート１２０に対して、タブ１８３がファスナ領域１８５と重なる関係にあるときに、第１乳房サポートファスナ部分１８２が第２乳房サポートファスナ部分１８４に係合するように配置されている。この例では、第１乳房サポートファスナ部分１８２は、図１及び２に示す実施例に開示したものと、例えば、フックアンドループ型ファスナを含むなど、変更するところは変更して同様に第２乳房サポートファスナ部分１８４に係合している。
【０１９２】
本例では、胸部サポート１００は更に、第１乳房サポート１２０と第２乳房サポート１４０を、正中矢状面ＳＧにほぼ対応する胸部Ｃに対する上位位置に、互いに可逆的に取り付ける第２予備ファスナ１８８を具える。理論にとらわれることなく、発明者は少なくともいくつかのケースで、第１乳房サポート１２０と第２乳房サポート１４０を第２予備ファスナ１８８を介して互いに係合させることは、二つの乳房領域Ａ及びＢの連続的なカバーの提供を容易にすると考えている。
【０１９３】
本例では、第２予備ファスナ１８８が、例えば、第１予備ファスナ１８０について開示したものを、変更するところは変更した適切なファスナ構造を具えている。
【０１９４】
本実施例の代替例では、第１予備ファスナ１８０及び／又は第２予備ファスナ１８８を胸部サポート１００から除いてもよい。
【０１９５】
本例では、特に、図２、３及び４を参照すると、胸部サポート１００がさらに、安定化パネル対１３０Ａ、１３０Ｂを具えている。これは、カバー１１０が胴体Ｅに巻き付いてぴったり隣接しているときに、上側胸郭の左側Ｇ１と上側胸郭の右側Ｇ２と重なるように構成されている。
【０１９６】
安定化パネル対１３０Ａ、１３０Ｂは、連結セクション１６０の対向する横方向端部１６２、１６４にそれぞれ配置されている。安定化パネル対１３０Ａ、１３０Ｂは、一般的にフレキシブルであるが、少なくとも横方向においては非弾性（たとえば、実質的に非伸縮可能であるか、最小限に伸縮可能である）である。したがって、横方向の引張荷重がかかったときでも、例えば、第１乳房受けパネル１２２、第２乳房受けパネル１４２、及び／又は連結セクション１６０に同じ引張荷重がかかった場合の伸縮と比べて、少なくとも横方向においては、大きく伸縮しない（特に弾性的には）。
【０１９７】
安定化パネル対１３０Ａ、１３０Ｂは、したがって、例えば、カバー１１０が胴体Ｅに巻き付いてぴったり隣接しており、第１乳房サポート１２０及び／又は第２乳房サポート１４０に引張荷重がかかっているときに、連結セクション１６０の伸縮を、第１乳房サポート１２０の及び／又は第２乳房サポート１４０の伸縮から効果的に切り離している。さらに、特定のユーザの背部Ｄと胸部Ｃの生理学的サイズに応じて、連結セクション１６０を所望の量だけ伸縮させて、安定化パネル対１３０Ａ、１３０Ｂを、上側胸郭の左側Ｇ１と上側胸郭の右側Ｇ２とそれぞれ整列させることができ、ついで、胸部サポート１００の残りの部分をまた、これらの位置における安定化パネル対１３０Ａ、１３０Ｂに取り付けて調整し、胸部領域Ａ、Ｂの各々に所望のレベルの圧力Ｐ１及びＰ２を提供することができる。
【０１９８】
さらに、安定化パネル対１３０Ａ、１３０Ｂは、胴体Ｅに対して安定化ドレナージ管、その他としても使用することができる。これは、例えば、このようなドレナージ管の一部を安定化パネル対１３０Ａ、１３０Ｂの一方又は他方に係合させることによってなされる。例えば、安定化ドレナージ管は、各管の対応する部分を胴体Ｅと安定化パネル１３０Ａ、１３０Ｂの一方又は他方の間に挟むことによって、及び／又は、安定化パネル対１３０Ａ、１３０Ｂ上に一またはそれ以上の係合／クランプ装置を提供してこれらのチューブをその上に係合又はクランプすることによって、提供することができる。
【０１９９】
いくつかの実施例では、安定化パネル１３０Ａ、１３０Ｂは、非弾性及び／又は非伸縮性材料であるが、フレキシブルな材料でできている。安定化パネル１３０Ａ、１３０Ｂは、いくつかの実施例によれば、連結セクション１６０に永久的に取り付けられており、選択的に、第１乳房サポート１２０と第２乳房サポート１４０にも、例えば、ステッチなどで取り付けることができる。
【０２００】
本実施例の代替例では、安定化パネル１３０Ａ，１３０Ｂは弾性材料又は伸縮性材料でできており、連結セクション１６０に、また選択的に第１乳房サポート１２０及び／又は第２乳房サポート１４０に、例えば、非弾性及び／又は非伸縮性のステッチ材料を用いたステッチ、溶接、またはこの材料を全く弾性でないか又は最小限に弾性になるように処理することによって、非伸縮的あるいは非弾性的に、永久的に取り付けられている。本実施例のさらに別の代替例では、安定化パネル１３０Ａ、１３０Ｂが連結セクション１６０と一体的に形成されており、同じ材料でできている。このような場合、安定化パネル１３０Ａ、１３０Ｂに対応する連結セクション１６０の領域は、安定化パネル１３０Ａ、１３０Ｂの弾性を低減する非弾性又は非伸縮性材料でできたパターンを具えている。このパターンは、これらの領域に横方向の引張荷重がかかったときに、少なくとも横方向において、これらの領域が伸縮（特に弾性的に）することを効果的に防止するようなものである。例えば、このようなパターンは、軸Ｚに沿ってあるいはこの軸に平行に整列した部分を具えている。例えば、このパターンは、所望の領域におけるジグザグステッチであり、この領域がよりしっかり／より伸縮性が少なくなるようにしてもよい。
【０２０１】
本実施例の代替例では、安定化パネル１３０Ａ、１３０Ｂを胸部サポート１００から除いてもよい。
【０２０２】
本実施例では、図４を参照すると、第１乳房サポート１２０と第２乳房１４０が同じ又は類似の弾性でできている。すなわち、これらのサポートは、同様のレベルの引っ張り荷重Ｔ１、Ｔ２がかかったときに、それぞれ同レベルの支持圧力Ｐ１、Ｐ２を提供する。しかしながら、本実施例の代替例では、第１乳房サポート１２０と第２乳房サポート１４０は、互いに有意に異なる弾性でできており、したがって、同様のレベルの引張荷重Ｔ１、Ｔ２がかかったときに、有意に異なるレベルの支持圧力Ｐ１、Ｐ２をそれぞれ提供する。本実施例の更なる代替例及びその他の実施例では、第１乳房サポート１２０と第２乳房サポート１４０の一方は有意な弾性なしで形成することができ、第１乳房サポート１２０と第２乳房サポート１４０の他方は有意な弾性で形成して、ふたつ乳房サポートのとの対応する一方は、同様のレベルの引張荷重Ｔ１、Ｔ２がかかったときに、それぞれ、他方の乳房サポートが有意レベルの支持圧力を提供するが、有意レベルの支持圧力を提供しない。
【０２０３】
本実施例の更なる代替例及びその他の実施例では、引張荷重Ｔ１（したがって、及び支持圧力Ｐ１）、及び／又は、引張荷重Ｔ２（したがって、及び支持圧力Ｐ２）のレベルは、それぞれ、変更できない単一の値にあらかじめ設定することができる。例えば、第１ファスナ１７０は、第１外側横方向端部１２６を単一位置Ｑ１に固定する／取り付けるように構成されており、及び／又は、第２ファスナ１９０は、第２外側横方向端部１４６を単一位置Ｑ２に固定する／取り付けるように構成されている。
【０２０４】
本明細書のいずれかの実施例において、荷重Ｔ１（したがって、及び支持圧Ｐ１）のレベルは、荷重Ｔ２（したがって、及び支持圧Ｐ２）のレベルと同じであってもよく、あるいは代替的に、荷重Ｔ１（したがって、及び支持圧Ｐ１）のレベルは、荷重Ｔ２（したがって、及び支持圧Ｐ２）のレベルと異なっていてもよい。
【０２０５】
いくつかの実施例では、胸部サポートは単一ピースで製造される。ここで、胸部サポート１００の様々な機能要素に対応する部分、例えば、連結セクション、安定化パネル、乳房サポート、その他は、要求される弾性及び／又は可撓性及び／又は硬さのあるそれぞれの部分を提供するように処理されているあるいはコントロールされている。いくつかのその他の実施例では、胸部サポートは、個別パネルで製造され、製造プロセス中に、この個別パネルを単一ピースに連結する。このようなパネルは、ステッチ、溶接、のり付け、その他といったテキスタイル又はその他の産業で入手可能な手段によって連結することができる。
【０２０６】
いくつかのさらなる実施例では、胸部サポート１００の少なくとも一部がラミネート形状である。例えば、第１乳房サポート１２０と第２乳房サポート１４０の各々は、一またはそれ以上の吸収材料を具えていてもよい。これは、限定するものではなく、例えば、サポートを術後に使用する場合に、分泌液を吸収する目的であってもよい。多重ラミネート胸部サポートは、図５（ａ）乃至５（ｄ）の非限定的実施例に示すように、段階的に製造することができる。
【０２０７】
図５（ａ）を参照すると、製造例の第１段階において、胸部サポート１００の第１層Ｋが、３枚のパネルＫ１（第１乳房サポート１２０に対応する）、Ｋ２（第２乳房サポート１４０に対応する）、及びＫ３（連結セクション１６０に対応する）を横方向に連結することによって提供されており、３枚のパネルすべてを同じ材料又は異なる材料で作ることができる。いくつかの実施例では、多層サポートを製造するときなどは、３枚のパネルは通常同じ材料でできている。このような材料は、プレーンかつ弾性であり、適用した圧力Ｐ１及びＰ２を適用した引張応力Ｔ１、Ｔ２に応じて発生させることができる。
【０２０８】
図５（ｂ）を参照すると、製造例の第２段階において、胸部サポート１００の第２層Ｌが、２枚のパネルＬ１とＬ２を第１層Ｋの部分の上に重ねて連結することによって提供されている。パネルＬ１は、パネルＫ１の大部分の上にあり（少なくとも第１乳房受けパネル１２２を含む第１乳房サポート１２０のほとんどに対応する）、パネルＬ２は、パネルＫ２の大部分の上にある（少なくとも第２乳房受けパネル１４２を含む第２乳房サポート１４０のほとんどに対応する）。本例では、パネルＬ１及びＬ２は、同じ材料でできているが、本実施例の代替例及びその他の実施例では、パネルＬ１とＬ２は異なる材料でできている。いくつかの実施例では、パネルＬ１及びＬ２を用いて対象の肌から分泌液を吸収するあるいは物質を放出するようにしている。このようなパネルＬ１及びＬ２の一方又は各々の材料は、織ったシートあるいは不織シートとして形成された綿セルロースガーゼであってもよい。
【０２０９】
図５（ｃ）を参照すると、製造例の第３段階において、胸部サポート１００の第３層Ｍが、２枚のパネルＭ１とＭ２をパネルＬ１及びＬ２の上にそれぞれに重ねて連結することによって提供されている。したがって、パネルＭ１も、パネルＫ１の大部分の上にあり（少なくとも第１乳房受けパネル１２２を含む第１乳房サポート１２０のほとんどに対応する）、パネルＭ２も、パネルＫ２の大部分の上にある（少なくとも第２乳房受けパネル１４２を含む第２乳房サポート１４０のほとんどに対応する）。本例では、パネルＭ１及びＭ２は、同じ材料でできているが、本実施例の代替例及びその他の実施例では、パネルＭ１とＭ２は異なる材料でできている。パネルＭ１及びＭ２の一方又は各々の材料は、乳房領域Ａ及びＢと直接接触して、対象の心地よい感覚を提供するように構成されている。
【０２１０】
層Ｌ及びＭは、胸部サポート１００の使用中に、適用された引張応力Ｔ１及びＴ２に応じて圧力Ｐ１及びＰ２がパネルＫ１及びＫ２に係ることを防止するものではない（したがって、防止しないように構成されている）。
【０２１１】
図５（ｄ）を参照すると、製造例の第４段階において、複数のファスナ部分Ｎが、図５（ｃ）で製造した積層品に取り付けられている。ファスナ部分Ｎは：
第１外側横方向端部のファスナ部分１７２に対応するファスナ部分Ｎ１と；
第２外側横方向端部のファスナ部分１９２に対応するファスナ部分Ｎ２と；
第１乳房サポートファスナ部分１８２に対応するファスナ部分Ｎ３と；
第２予備ファスナ１８８の一部に対応するファスナ部分Ｎ４と；
を具える。
【０２１２】
図５（ｅ）を参照すると、製造例の第５段階において、図５（ｄ）で製造した積層品を反転させて示している。
【０２１３】
図５（ｆ）を参照すると、製造例の第６段階において、部分Ｒ、Ｓ１及びＳ２が図５（ｄ）に示す製造品の上にあり、これに取り付けられている。この積層品は、すでに反転させて示されている。部分Ｒは、第２乳房サポートファスナ部分１８４に対応し、部分Ｓ１及びＳ２は、安定化部分１３０Ｂ及び１３０Ａにそれぞれ対応している。
【０２１４】
この製造例の代替変形例において、図５（ｅ）に記載の反転ステップは除いてもよく（また、図５（ｆ）に記載のステップは、図５（ｄ）で製造した積送品を適切に保持することによって実行される）、及び／又は、図５（ｆ）に記載のステップは選択的に、図５（ａ）に記載のステップの前で、図５（ｄ）に記載のステップの後であればどの時点で実行してもよい、ことは明らかである。また、この製造例の代替変形例において、例えば、安定化部分１３０Ｂ及び１３０Ａが不要である実施例では、図５（ｆ）に記載のステップは除いてもよい（したがって、図５（ｅ）に記載のステップも除いてもよい）。
【０２１５】
胸部サポート１００の代替例は、上記概述した段階と同じ段階、あるいはこのうちのいくつかの段階を用いて実行することができることは自明である。例えば、単一層サポートは、第２及び第３段階を除くことで得ることができる。
【０２１６】
少なくとも本実施例では、胸部サポート１００は、使い捨て可能な製品として提供されている。使い捨て可能とすることは、胸部サポート１００を洗浄したり、特定のユーザが使用後に改造することは意図していない。むしろ、単回使用の後（または、そのユーザによってほんの数回の使用の後）、胸部サポート１００は処分されるか、あるいは廃棄され、再び使用されることはない。
【０２１７】
上述の実施例の代替変形例において、胸部サポート１００は非使い捨て製品として提供されている。この製品は、洗浄するか、使用間に改造することができる。例えば、このような胸部サポートは、一または複数の適切な布で作ることができ、選択的に、使い捨て可能なあるいはウォッシャブルパッドを、第１乳房受けパネル１２２と第２乳房受けパネル１４２の各々の、胸部サポートの内側１１２に具えていてもよい。選択的に、このようなパッドは、第１乳房受けパネル１２２と第２乳房受けパネル１４２に可逆的に取り付けて、パッドの交換を容易にすることができる。選択的に、このようなパッドは、吸収性材料で形成して、パッドに接触する滲出液やその他の体液を吸収することができる。選択的に、このようなパッドに、適切な薬剤をしみこませて、その薬剤を各乳房領域Ａ及びＢに接触によって塗布することができる。
【０２１８】
胸部サポート１００は、例えば、装着又は脱着して、例えば以下の通り作用する。
【０２１９】
図６、７及び８を参照すると、胸部サポート１００は、胴体Ｅに、例えば以下の通りに装着することができる。図６を参照すると、胸部サポート１００を胴体Ｅ近傍に、背部Ｄに対向する内側を向いた側部１１２と接触させ、連結セクション１６０を背部Ｄと隣接して接触させる。安定化パネル１３０Ａ、１３０Ｂは、上側胸郭の右側Ｇ１及び上側胸郭の左側Ｇ２と重ねてそれぞれ接触させ、必要があれば、連結セクション１６０を横方向に伸ばして達成する。
【０２２０】
図７を参照すると、胸部サポート１００は、第１乳房サポート１２０を胸骨の上で第２乳房サポート１４０に近づけることによって、胴体Ｅに巻き付けられ、次いで、この二つを第１予備ファスナ１８０を介して係合させる。第２予備ファスナ１８８も係合させてもよい。この位置で、胸部サポート１００は、胴体に軽く近接し、ほぼ整列するが、特にきつく隣接してはいない。
【０２２１】
図７と図８を参照すると、特定の第１舌部１２５の第１外側横方向自由端部１２６は、少なくとも第１外側横方向自由端部１２６における張力Ｔ１を誘発して、ほぼ横方向に第２乳房サポート１４０に向けて引っ張られ、第２乳房サポート１４０によって隣接ゾーンＡＺにおいて抵抗を受ける。一方、この張力Ｔ１が、第１乳房領域Ａの上に、第１乳房サポート１２０、特に、弾力的な第１乳房受けパネル１２２を介して所望の支持圧力Ｐ１を生成し、その後、特定の第１舌部１２５の第１外側横方向端部１２６が、第１ファスナ１７０を介して対応する位置Ｑ１において第２乳房サポート１４０に取り付けられる。これによって、張力Ｔ１と支持圧力Ｐ１が第１乳房領域Ａにおいて維持される。したがって、第１乳房サポート１２０の一部、特に、第１外側横方向自由端部１２６の少なくとも一部、さらには、第１舌部１２５の一部が、第２乳房サポート１４０の対応する部分と重なって隣接する関係になる。
【０２２２】
図４を参照すると、特定の第２舌部１４５の第２外側横方向自由端部１４６は、少なくとも第２外側横方向自由端部１４６における張力Ｔ２を誘発して、ほぼ横方向に第１乳房サポート１２０に向けて引っ張られ、第１乳房サポート１２０によって隣接ゾーンＡＺにおいて抵抗を受ける。一方、この張力Ｔ２が、第２乳房領域Ｂの上に、第２乳房サポート１４０、特に、弾力的な第２乳房受けパネル１４２を介して所望の支持圧力Ｐ２を生成し、その後、特定の第２舌部１４５の第２外側横方向端部１４６が、第２ファスナ１９０を介して対応する位置Ｑ２において第１乳房サポート１２０に取り付けられる。これによって、張力Ｔ２と支持圧力Ｐ２が第２乳房領域Ｂにおいて維持される。したがって、第２乳房サポート１４０の一部、特に、第２外側横方向自由端部１４６の少なくとも一部、さらには、第２舌部１４５の一部が、第１乳房サポート１２０の対応する部分と重なって隣接する関係になる。
【０２２３】
選択的に、図８と図４間の順序を逆にすることもできる。したがって、第２外側横方向自由端部１４６、特に第２舌部１４５の第１乳房サポート１２０へ最初に取り付けて、次いで、第１外側横方向自由端部１２６、特に第１舌部１２５の第２乳房サポート１４０へ取り付けることができる。
【０２２４】
いずれの場合も、少なくとも上述の実施例では、第１乳房サポート１２０と第１ファスナ１７０によって第１乳房領域Ａに適用される支持圧力Ｐ１は、第２乳房サポート１４０と第２ファスナ１９０によって第２乳房領域Ｂに適用される支持圧力Ｐ２から独立して所望の値に設定することができる。
【０２２５】
胸部サポート１００は、例えば、上述したような装着動作を逆にすることによって、脱着する又は胴部Ｅから取り外すことができる。
【０２２６】
図１乃至９（ｂ）に記載の実施例の代替変形例が、図１０（ａ）及び１０（ｂ）に記載されている。対応する身体又は胸部サポートは、符号１００Ａが付されており、上述した他の代替変形例を含めて、変更するところは変更して胸部サポート１００と形状および機能は同様である。いくつかの異なるところが以下で明らかになるであろう。したがって、胸部サポート１００Ａは、複数の構造エレメントを具えており、これは、第１乳房サポート１２０（弾力的な第１乳房受けパネル１２２と、第１内側横方向端部１２４と第１舌部１２５を含む第１外側横方向自由端部１２６を具える）と、第２乳房サポート１４０（弾力的な第２乳房受けパネル１４２と、第２内側横方向端部１４４と第２舌部１４５を含む第２外側横方向自由端部１４４を具える）と、連結セクション１６０と、第１ファスナ１７０と、第２ファスナ１９０を具え；選択的に第１予備ファスナ１８０と、及び／又は、第２予備ファスナ１８８を具え；選択的に安定化パネル１３０Ａ、１３０Ｂを具え、図１乃至９（ｂ）に示す実施例に対応する要素と同様の要素を変更するところは変更して具える。胸部サポート１００Ａは、胸部サポート１００と、主に、胸部サポート１００Ａがさらに、第３舌部１２５Ａを有する第３外側横方向自由端部１２６Ａと、第３ファスナ１７０Ａと、第４舌部１４５Ａを有する第４外側横方向自由端部１４６Ａと、第４ファスナ１９０Ａを具えている点で、異なる。
【０２２７】
第３舌部１２５Ａを有する第３外側横方向端部１２６Ａは、変更するところを変更して第１舌部１２５を有する第１外側横方向自由端部１２６と、同様であるが、第１乳房サポート１２０の下位部分に位置しており、少なくとも第３ファスナ１７０Ａの一部を具えている。第３ファスナ１７０Ａは、変更するところを変更して第１ファスナ１７０について上述したものと形状及び機能において、同様である。
【０２２８】
第４舌部１４５Ａを有する第４外側横方向端部１４６Ａは、変更するところを変更して第２舌部１４５を有する第２外側横方向自由端部１４６と、同様であるが、第２乳房サポート１４０の上位部分に位置しており、少なくとも第４ファスナ１９０Ａの一部を具えている。第４ファスナ１９０Ａは、変更するところを変更して第２ファスナ１９０について上述したものと形状及び機能において、同様である。
【０２２９】
図１０（ｂ）に最もよく見られるように、第１外側横方向自由端部１２６（第１舌部１２５を含む）と、第３外側横方向端部１２６Ａ（第３舌部１２５Ａを有する）は、互いに対して、軸Ｚの異なる側部に互いに対して対称に配置されておらず、同様に、第２外側横方向自由端部１４６（第２舌部１４５を含む）と第４外側横方向自由端部１４６Ａ（第４舌部１４５Ａを含む）も、軸Ｚの異なる側部で互いに対して非対称に配置されている。
【０２３０】
したがって、第１外側横方向自由端部１２６（第１舌部１２５を含む）は、第４外側横方向端部１４６Ａ（第４舌部１４５Ａを含む）より軸Ｚからスペースを空けてより離れて配置されており、第２外側横方向自由端部１４６（第２舌部１４５を含む）は、ここで、第３外側横方向端部１２６Ａ（第３舌部１２５Ａを有する）より軸Ｚからスペースを空けてより離れて配置されている。
【０２３１】
胸部サポート１００Ａの操作、すなわち、胸部サポート１００Ａの装着及び／又は脱着は変更するところを変更して、胸部サポート１００の操作と同様である。主な違いは以下の通りである。本実施例では、張力Ｔ２は、第２外側横方向自由端部１４６（特に第２舌部１４５）と第４外側横方向端部１４６Ａ（特に第４舌部１４５Ａ）を互いから独立して第１乳房サポート１２０の上に適切に引っ張って、第２外側横方向自由端部１４６（特に第２舌部１４５）と第４外側横方向端部１４６Ａ（特に第４舌部１４５Ａ）を、第１乳房サポート１２０に位置Ｑ２及びＱ４において，それぞれ取り付けることによって、第２乳房サポート１４０を介して、第２乳房領域Ｂ上に適用することができる。本実施例では、張力Ｔ１を、第１乳房サポート１２０を介して、第１外側横方向自由端部１２６（特に第１舌部１２５）と第３外側横方向端部１２６Ａ（特に第３舌部１４５Ａ）を互いから独立して、第２乳房サポート１４０上に適切に引っ張ることによって、第１乳房領域Ａの上に、張力Ｔ１を同様に適用でき、第１外側横方向自由端部１２６（特に、第１舌部１２５）と、第３外側横方向端部１２６Ａ（特に第３舌部１２５Ａ）を、位置Ｑ１及びＱ３において第２乳房サポート１４０に固定することができる。
【０２３２】
第１外側横方向自由端部１２６（特に第１舌部１２５）と第３外側横方向端部１２６Ａ（特に第３舌部１２５Ａ）を引っ張ることによって提供される第１張力Ｔ１はそれぞれ、同じであっても、異なっていてもよい。例えば、第１外側横方向端部１２６（特に第１舌部１２５）は、大きな張力Ｔ１を適用する場合に引っ張ることができ、第３外側横方向端部１２６Ａ（特に第３舌部１２５Ａ）は、ぴんと張る場合に十分に引っ張られ、したがって第１圧力Ｐ１は、ほとんど第１外側横方向端部１２６（特に第１舌部１２５）を介して提供される。同様に、第２外側横方向自由端部１４６（特に第２舌部１４５）と、第４外側横方向端部１４６Ａ（特に第４舌部１４５Ａ）を引っ張ることによって提供される第２張力Ｔ２は、それぞれ、同じ又は異なっていてもよい。例えば、第２外側横方向自由端部１４６（特に第２舌部１４５）を引っ張ると大きな張力Ｔ２がかかり、第１外側横方向自由端部１２６（特に第１舌部１２５）は引っ張るだけで十分にぴんと張るため、第２圧力Ｐ２は、ほとんど全部、第２外側横方向端部１４６（特に第２舌部１４５）を介して提供される。
【０２３３】
このように、第１外側横方向端部１２６（特に第１舌部１２５）と第４外側横方向端部１４６Ａ（特に第４舌部１４５Ａ）の一方あるいは両方が、胸部Ｃを上位位置で支持しており、第２外側横方向端部１４６（特に第２舌部１４５）と第３外側横方向端部１２６Ａ（特に第３舌部１２５Ａ）が、胸部Ｃを下位位置で支持している。
【０２３４】
第２胸部サポート１４０、特に第２外側横方向自由端部１４６の少なくとも一部（特に第２舌部１４５の一部）と第４外側横方向自由端部１４６Ａの一部（特に第４舌部１４５Ａの一部）が、第１乳房サポート１２０のそれぞれの部分と重なって隣接する関係にあることは明瞭である。また、第１乳房サポート１２０の一部、特に第１外側横方向自由端部１２６の少なくとも一部（特に第１舌部１２５の一部）と、第３外側横方向端部１２６Ａの一部（特に第３舌部１２５Ａの一部）は、それぞれ、第２乳房サポート１４０のそれぞれの部分と重なって隣接する関係にある。
【０２３５】
図１１（ａ）及び１１（ｂ）を参照すると、図１０（ａ）と１０（ｂ）に示す実施例の代替変形例において、第１外側横方向自由端部１２６（特に第１舌部１２５）と第３外側横方向端部１２６Ａ（特に第３舌部１２５Ａ）は、軸Ｚの異なる側部に互いに対して対称に配置されており、同様に、第２外側横方向自由端部１４６（特に第２舌部１４５）と第４外側横方向端部１４６Ａ（特に第４舌部１４５Ａ）も、軸Ｚの異なる側部に互いに対して対称である。
【０２３６】
このように、第１外側横方向自由端部１２６（特に第１舌部１２５）は、第４外側横方向端部１４６Ａ（特に第４舌部１４５Ａ）より軸Ｚからスペースを空けて離れており、第３外側横方向端部１２６Ａ（特に第３舌部１２５Ａ）は、第２外側横方向自由端部１４６（特に第２舌部１４５）より軸Ｚからスペースを空けて離れている。
【０２３７】
したがって、装着時に、図１０（ａ）及び１０（ｂ）に示す実施例では、第２外側横方向自由端部１４６（特に第２舌部１２５）が、第３外側横方向端部１２６Ａ（特に第３舌部１２５Ａ）に対して下位位置に位置しており、図１１（ａ）及び１１（ｂ）に示す実施例では、第２外側横方向自由端部１４６（特に第２舌部１４５）が、第３外側横方向端部１２６Ａ（特に第４舌部１４５Ａ）に対して上位位置に位置している。図１０（ａ）、１０（ｂ）、１１（ａ）、１１（ｂ）に示す両実施例とも、装着時に、第１外側横方向端部１２６（特に第１舌部１２５）が、第４外側横方向端部１４６Ａ（特に、第４舌部１４５Ａ）に対して上位位置に位置する。
【０２３８】
図１乃至９（ｂ）に示す実施例の代替変形例が図１２（ａ）及び１２（ｂ）に示されている。対応する身体又は胸部サポートは、符号１００Ｂが付されており、上述した他の代替変形例を含めて、変更するところは変更して胸部サポート１００と形状および機能は同様である。いくつかの異なるところが以下で明らかになるであろう。したがって、胸部サポート１００Ｂは、複数の構造エレメントを具えており、これは、第１乳房サポート１２０（弾力的な第１乳房受けパネル１２２と、第１内側横方向端部１２４と第１外側横方向自由端部１２６（第１舌部１２６Ａを含む）を具える）と、第２乳房サポート１４０（弾力的な第２乳房受けパネル１４２と、第２内側横方向端部１４４と、第２外側横方向自由端部１４６を含む）と、連結セクション１６０と、第１ファスナ１７０と、第２ファスナ１９０を具え；選択的に第１予備ファスナ１８０と、及び／又は、第２予備ファスナ１８８を具え；選択的に安定化パネル１３０Ａ、１３０Ｂを具え、図１乃至９（ｂ）に示す実施例に対応する要素と同様の要素を変更するところは変更して具えるが、以下に述べる通り若干の違いがある。
【０２３９】
胸部サポート１００Ｂは、胸部サポート１００又は胸部サポート１００Ａと、第２外側横方向自由端部１４６が第２乳房サポート１４０の横方向縁部から横方向にオフセットした開口１４９を具える点が主に異なる。この開口１４９によって、第１予備舌部１２６Ｂ（第１乳房サポート１２０の上位位置から横方向に突出している）（例えば、変更するところを変更して第１外側横方向自由端部１２６と同様である）が、内向側部１２２から外向側部１１４へ開口を通ってループとなり、外向側部上の第１乳房サポート１２０に向けて横方向に戻る。第２ファスナ１９０の少なくとも一部は、第１予備舌部１２６Ｂに設けられており、第１乳房サポート１２０によって、第１予備舌部１２６Ｂは第１乳房サポート１２０の上を横方向に引っ張られ、複数の異なる位置Ｑ１’の一つに固定される。これによって。引張荷重Ｔ２がかかり、第２乳房サポート１４０と、特に弾性のある第２乳房受けパネル１４２を引っ張り、これによって第２乳房領域Ｂの上に支持圧力Ｐ２がかかる。代替的に、開口１４９を、第２乳房サポート１４０の横方向縁部に、あるいはその近傍に配置したループ、リング、フープ、その他で置き換えてもよい。
【０２４０】
さらに、図１２（ａ）及び１２（ｂ）に示す実施例では、第１外側横方向端部１２６（第１舌部１２６Ａを介して）が、胸部Ｃをそれぞれの下位位置で支持しており、第２外側横方向端部１４６（第１予備舌部１２６Ｂを介して）が、それぞれの上位位置で胸部Ｃを支持している。したがって、この実施例では、第１外側横方向端部１２６、特に第１舌部１２６Ａが、第１乳房サポート１２０から下位位置において横方向に突出している。しかしながら、図１２（ａ）と１２（ｂ）に示す実施例の代替変形例においては、胸部サポート１００Ｂは，第１外側横方向端部１２６が胸部Ｃをそれぞれの上位位置で支持するように構成されており、第２外側横方向端部１４６（第１予備舌部１２６Ｂを介して）が、胸部Ｃをそれぞれ下位位置で支持している。
【０２４１】
図１２（ｂ）に最もよく見られるように、第１外側横方向自由端部１２６（特に第１舌部１２６Ａ）と第１予備舌部１２６Ｂは、軸Ｚの異なる側部に互いに対して対称に配置されており、第１外側横方向自由端部１２６と第１予備舌部１２６Ｂは同様の形状とサイズである。しかしながら、この実施例の代替変形例においては、第１外側横方向自由端部１２６（特に第１舌部１２６Ａ）と第１予備舌部１２６Ｂは、軸Ｚの異なる側部に互いに対して対称に配置されており、及び／又は、第１外側横方向自由端部１２６（特に第１舌部１２６Ａ）と第１予備舌部１２６Ｂは形状及び／又はサイズにおいて、互いに同じではない。
【０２４２】
胸部サポート１００Ｂの動作、すなわち胸部サポート１００Ａの装着及び／又は脱着は、変更するところを変更して胸部サポート１００の動作と同じであり、主な違いは以下のとおりである。本実施例では、張力Ｔ２は、第２外側横方向端部１４６を（開口１４９を通ってループになっている場合は、第１予備舌部１２６Ｂを介して）第１乳房サポート１２０の上に適切に引っ張り、第１予備舌部１２６Ｂを第１乳房サポート１２０に位置Ｑ１’で取り付けることにより、第２乳房サポート１４０を介して第２乳房領域Ｂにかけることができる。本実施例では、張力Ｔ１は、図１乃至９（ｂ）の実施例で説明した通り、第１乳房サポート１２０を介して第１乳房領域Ａにかけることができる。
【０２４３】
胸部サポート１００Ｂにおいて、第１乳房サポート１４０の一部、特に第２外側横方向自由端部１４６の少なくとも一部が、第１乳房サポート１２０の各部分と重なって隣接する関係にあることは明らかである。また、第１乳房サポート１２０の一部、特に第１外側横方向自由端部１２６の一部は、第２乳房サポート１４０の各部分と重なって隣接する関係にある。
【０２４４】
図１乃至１２（ｂ）に記載の実施例のべつの代替例が、図１３（ａ）及び１３（ｂ）に示されている。対応する身体又は胸部サポートには、符号１００Ｃが付されており、上述した他の代替変形例を含めて、変更するところは変更して胸部サポート１００と形状および機能は同様である。いくつかの異なるところが以下で明らかになるであろう。したがって、胸部サポート１００ｃは、複数の構造エレメントを具えており、これは、第１乳房サポート１２０（弾力的な第１乳房受けパネル１２２と、第１内側横方向端部１２４と第１外側横方向自由端部１２６（第１舌部１２５を含む）とを含む）と、第２乳房サポート１４０（弾力的な第２乳房受けパネル１４２と、第２内側横方向端部１４４と、第２外側横方向自由端部１４６（第２舌部１４５を含む）を含む）と、連結セクション１６０と、第１ファスナ１７０と、第２ファスナ１９０を具え；選択的に第１予備ファスナ１８０と、及び／又は、第２予備ファスナ１８８を具え；選択的に安定化パネル１３０Ａ、１３０Ｂを具え、図１乃至９（ｂ）に示す実施例に対応する要素と変更するところは変更して同様の要素を具えるが、以下に述べる通り若干の違いがある。
【０２４５】
胸部サポート１００Ｃは、変更するところを変更して図１２（ａ）及び１２（ｂ）の実施例と同様に胸部サポート１００と、主に第２外側横方向自由端部１４６が、第２乳房サポート１４０の横方向縁部から横方向にオフセットした開口１４９を具える点が異なる。この開口１４９によって、第１乳房サポート１２０から突出している第１舌部１２６（例えば、第１外側横方向自由端部１２６と同様である）が、内向側部１２２から外向側部１１４へ開口を通ってループとなり、外向側部上の第１乳房サポート１２０に向けて横方向に戻る。第２ファスナ１９０の少なくとも一部は、第１舌部１２５と第１乳房サポート１２０に設けられており、第２外側横方向端部１４６（開口１４９を介してループにした場合、第１舌部１２５を介して）を第１乳房サポート１２０のうえを横方向に引っ張られ、複数の異なる位置Ｑ１’の一つに固定される。これによって、引張荷重Ｔ２がかかり、第２乳房サポート１４０と、特に弾性のある第２乳房受けパネル１４２を引っ張り、これによって第２乳房領域Ｂの上に支持圧力Ｐ２がかかる。代替的に、開口１４９を、第２乳房サポート１４０の横方向縁部に、あるいはその近傍に配置したループ、リング、フープ、その他で置き換えてもよい。
【０２４６】
胸部サポート１００Ｃは、胸部サポート１００又は胸部サポート１００Ｂと、第１外側横方向自由端部１２６が、第１乳房サポート１２０の横方向縁部から横方向にオフセットした開口１２９を具える点がさらに異なる。この開口１２９によって、第２乳房サポート１４０から突出している第２舌部１４５（例えば、第１舌部１２５と同様に）内向側部１２２から外向側部１１４へ開口を通ってループとなり、第２乳房サポート１４０に向けて横方向に戻る。第１ファスナ１７０の少なくとも一部は、第２舌部１４５と第２乳房サポート１４０に設けられており、第１外側横方向端部１２６は（開口１２９を通ってループになっている場合、第２舌部１４５を介して）第２乳房サポート１４０の上を横方向に引っ張られ、複数の異なる位置Ｑ２’の一つに固定される。これによって。引張荷重Ｔ１がかかり、第１乳房サポート１２０と、特に弾性のある第１乳房受けパネル１２２を引っ張り、これによって第１乳房領域Ａの上に支持圧力Ｐ１がかかる。代替的に、開口１２９を、第１乳房サポート１２０の横方向縁部に、あるいはその近傍に配置したループ、リング、フープ、その他で置き換えてもよい。
【０２４７】
図１３（ａ）及び１３（ｂ）に記載の実施例では、第１外側横方向端部１２６（第２舌部１４５を介して）、それぞれの下位位置で胸部Ｃを支持しており、第２外側横方向端部１４６（第１舌部１２５を介して）それぞれの上位位置で胸部Ｃを支持している。しかしながら、図１３（ａ）及び１３（ｂ）に記載の実施例の代替例では、胸部サポート１００は、第１外側横方向端部１２６（第２舌部１４５を介して）がそれぞれ上位位置で胸部Ｃを支持しており、第２外側横方向端部１４６（第１舌部１２５を介して）がそれぞれ下位位置で胸部Ｃを支持している。
【０２４８】
図１３（ｂ）に最もよく見られるように、第１舌部１２５と第２舌部１４５は、軸Ｚの異なる側部に互いに対して非対称に配置されており、第１舌部１２５と第２舌部１４５は形状とサイズが同じである。しかしながら、この実施例の代替の変形例では、第１舌部１２５と第２舌部１４５は形状とサイズが互いに同じでない。
【０２４９】
胸部サポート１００Ｃの動作、すなわち、胸部サポート１００Ｃの装着及び／又は脱着は、胸部サポート１００の動作及び胸部サポート１００Ｂの動作と、変更するところを変更して同様である。主な違いは以下の通りである。本実施例では、第２外側横方向端部１４６（開口１４９を通ってループにした場合、第１舌部１２５を介して）を第１乳房サポート１２０の上を適切に引っ張り、位置Ｑ１’において第１舌部１２５を第１乳房サポート１２０に取り付けることによって、第２乳房サポート１４０を介して張力Ｔ２を第２乳房領域Ｂにかけることができる。本実施例では、同様に、第１外側横方向端部１２６（開口１２９を通ってループにした場合、第２舌部１４５を介して）を第１乳房サポート１４０の上へ引っ張り、第２舌部１４５を位置Ｑ２’において第２乳房サポート１４０に固定することによって、第１乳房サポート１２０を介して張力Ｔ１を第１乳房領域Ａにかけることができる。
【０２５０】
胸部サポート１００Ｃでは、第２乳房サポート１４０の一部、特に、第２外側横方向自由端部１４６の少なくとも一部が、第１乳房サポート１２０のそれぞれの一部と重なって隣接する関係にあることが明らかである。また、第１乳房サポート１２０の一部、特に、第１外側横方向自由端部１２６の少なくとも一部が、第２乳房サポート１４０のそれぞれの一部と重なって隣接する関係にあることも明らかである。
【０２５１】
図１乃至９（ｂ）に記載の実施例の代替例が、図１４（ａ）及び１４（ｂ）に記載されている。対応する身体又は胸部サポートには、符号１００Ｄが付されており、これは、上述したように、変更するところを変更して他の代替変形例を含む胸部サポート１００と形状及び機能が同様である。いくらかの違いを以下に説明する。すなわち、胸部サポート１００Ｄは複数の構造エレメントを具えており、これは、第１乳房サポート１２０（弾力的な第１乳房受けパネル１２２と、第１内側横方向端部１２４と第１舌部１２５を含む第１外側横方向自由端部１２６を具える）と、第２乳房サポート１４０（弾力的な第２乳房受けパネル１４２と、第２内側横方向端部１４４と、第２舌部１４５を含む第２外側横方向自由端部１４６を具える）と、連結セクション１６０と、第１ファスナ１７０と、第２ファスナ１９０を具え；選択的に第１予備ファスナ１８０と；選択的に安定化パネル１３０Ａ、１３０Ｂを具え、変更するところを変更して図１乃至９（ｂ）に示す実施例に開示した対応する要素と同様の要素を具える。
【０２５２】
胸部サポート１００Ｄは、胸部サポート１００と主に、胸部サポート１００Ｄがさらに、第１予備舌部２２５と第２予備舌部２４５を具える点で異なる。選択的に、胸部サポート１００Ｄは、追加の第１予備ファスナ１８０’を具えていてもよい。これは、例えば、第１予備ファスナ１８０と同様である（及び追加で、あるいはこれに代えて）が、他方の乳房サポートに設けられている。
【０２５３】
第１予備舌部２２５は、第１外側横方向端部から突出しており、装着状態において少なくとも一つの第１位置において第１乳房サポート１２０に対して第１予備舌部２２５を選択的かつ可逆的に取り付けるように構成した第１予備ファスナ２７０を具え、第１予備舌部２２５の一部が第１乳房サポートのそれぞれの一部に重なって隣接する関係にある。したがって、追加の引張荷重Ｔ２’が誘発され、第１支持圧力Ｐ１を強化する。
【０２５４】
本実施例の第１予備舌部２２５は、その一方の長手方向端部２２１において、第１舌部１２５の内側端２２２に連結されている。少なくとも身体サポート１００Ｄを装着する前に、特に図１４（ｂ）を参照すると、第１予備舌部２２５は、第１舌部１２５と重なって隣接する関係にある。第１舌部１２５を第２サポート１４０に取り付けたのち、第１予備舌部２２５は、その端部２２１を中心に回動して第１舌部１２５から離れ、図１４（ａ）に示すように、第１予備舌部２２５を第１サポート１２０に対して取り付けることができる。
【０２５５】
第２予備舌部２４５は、第２外側横方向端部から突出しており、装着状態において少なくとも一つの第２位置において第２乳房サポート１４０に対して第２予備舌部２４５を選択的かつ可逆的に取り付けるように構成した第１予備ファスナ２７０を具え、第２予備舌部２４５の一部が第２乳房サポートのそれぞれの一部に重なって隣接する関係にある、第２予備ファスナ２９０を具える。したがって、追加の引張荷重Ｔ１’が誘発され、第２支持圧力Ｐ２を強化する。
【０２５６】
本実施例の第２予備舌部２４５は、その一方の長手方向端部２４１において、第２舌部１４５の内側端２４２に連結されている。少なくとも身体サポート１００Ｄを装着する前に、特に図１４（ｂ）を参照すると、第２予備舌部２４５は、第２舌部１４５と重なって隣接する関係にある。第２舌部１４５を第１サポート１２０に取り付けたのち、第２予備舌部２４５は、その端部２４１を中心に回動して第２舌部１４５から離れ、図１４（ａ）に示すように、第２予備舌部２４５を第２サポート１４０に対して取り付けることができる。
【０２５７】
このように、胸部サポート１００Ｄの動作、すなわち、胸部サポート１００Ｄの装着及び／又は脱着は、胸部サポート１００の動作と、変更するところを変更して同様である。主な違いは、本実施例では、第１予備舌部２２５と第２予備舌部２４５によって提供される追加の引張荷重である。これらの引張荷重Ｔ１’及びＴ２’は、引張荷重Ｔ１又はＴ２が変化すると同様に、変更するところを変更して、独立して変化し、これによって、支持圧力Ｐ１及びＰ２に更なるコントロールを提供している。
【０２５８】
本実施例の代替変形例では第１予備舌部２２５と第２予備舌部２４５の一方又は他方を除くようにしてもよい。
【０２５９】
胸部サポート１００Ｄは、図５（ａ）乃至５（ｆ）について述べたものと同様に製造することができ、製造プロセスにおいて第１予備舌部２２５と第２予備舌部２４５を含む追加のステップを伴う。例えば、第１予備舌部２２５と第２予備舌部２４５は、胸部サポート上に、長手方向端部２２１と長手方向端部２４１をそれぞれステッチしてもよい。代替的に、第１予備舌部２２５を第１舌部１２５と一体的に形成して長手方向端部２２１で折りたたみ、次いで、第１舌部１２５を胸部サポートに固定してもよく；同様に、第２予備舌部２４５を第２舌部１４５に一体的に形成して、長手方向端部２４１で折り返し、第２舌部１４５を胸部サポートに固定するようにしてもよい。
【０２６０】
本実施例の代替変形例では対応する身体又は胸部サポートが複数の第１予備舌部２２５及び／又は複数の第２予備舌部２４５を具えていてもよく、選択的に複数の第１舌部１２５及び／又は複数の第２舌部１４５を伴うものでもよい。
【０２６１】
なお、少なくとも第１舌部及び／又は第２舌部、を具える本明細書に示す本実施例の代替変形例では、少なくとも一の第１予備舌部２２５が設けられていてもよく、及び／又は少なくとも一の第２予備舌部２４５が設けられていてもよい。
【０２６２】
上述した実施例の変形例では、変更するところを変更して胸部サポートがヒト又は動物のその他の身体部分を覆い支持する、身体サポートとして構成することができることは明らかである。この身体部分には、とりわけ、腕、掌、指、脚、足、つま先、腹部、腰、首のいずれか一つが含まれる。この場合、各身体サポートは、各身体サポートに巻き付けて取り付けることができる適切な寸法である。
【０２６３】
さらに、請求項全体に使用されている用語「具える」は、「含むが限定ではない」との意味である。
【０２６４】
本明細書に開示した主題による実施例を示して説明したが、本明細書に記載した主題の精神から外れることなく多くの変更ができることは自明である。
【手続補正２】
【補正対象書類名】特許請求の範囲
【補正対象項目名】全文
【補正方法】変更
【補正の内容】
【特許請求の範囲】
【請求項１】
少なくとも身体部分の第１身体領域と第２身体領域を覆い支持する身体サポートであって、前記第１身体領域と第２身体領域の各々が前記身体部分の正中面の異なる側面にあり、前記身体部分に対して装着状態と脱着状態を有する身体サポートにおいて：
弾性のある第１パネルと、第１内側横方向端部と、前記第１内側横方向端部からスペースを空けて配置された第１外側横方向自由端部とを具える第１サポートと；
弾性のある第２パネルと、第２内側横方向端部と、前記第１内側横方向端部からスペースを空けて配置された第２外側横方向自由端部とを具える第２サポートと；
前記第１内側横方向端部及び前記第２内側横方向端部に連結された連結セクションであり、装着状態において、前記身体部分に取り付けたときに当該身体部分に巻き付いて支持することができる連結セクションと；
前記第１外側横方向端部から外側に向けて突出しており、装着状態において、少なくとも一つの第１位置で前記第２サポートに対して前記第１サポートを選択的かつ可逆的に取り付けるように構成された第１ファスナを具える少なくとも一の第１舌部であって、当該第１舌部の一部が前記第２サポートの各部分と重なって隣接する関係にあり、隣接して接触させることにより、前記第１身体領域に第１支持圧力を誘発できる、第１舌部と；
前記第２外側横方向端部から外側に向けて突出しており、装着状態において、少なくとも一つの第２位置で前記第１サポートに対して前記第２サポートを選択的かつ可逆的に取り付けるように構成された、前記第１ファスナと異なる第２ファスナを具える少なくとも一の第２舌部であって、当該第２舌部の一部が前記第１サポートの各部分と重なって隣接する関係にあり、隣接して接触させることにより、前記第２身体領域に第２支持圧力を誘発できる、第２舌部と；
を具え、
脱着状態において、前記第１サポートと前記第２サポートが互いに対して非連続であることを特徴とする身体サポート。
【請求項２】
請求項１に記載の身体サポートにおいて、前記少なくとも一つの第１位置において、前記第１外側横方向端部の一部が、前記第２サポートのそれぞれの部分と重なって隣接する関係にあり;及び／又は、
前記少なくとも一つの第２位置において、前記第２外側横方向端部の一部が、前記第１サポートの各部分と重なって隣接する関係にあることを特徴とする身体サポート。
【請求項３】
請求項１又は２に記載の身体サポートにおいて、前記第1支持圧力が、前記第１外側横方向端部に第１張力をかけることによって、特に、前記第１外側横方向端部を前記第２サポートの上に横方向に引っ張ることによって、前記第１身体領域に誘発され；及び／又は、
前記第２支持圧力が、前記第２外側横方向端部に第２張力をかけることによって、特に、前記第２外側横方向端部を前記第１サポートの上に横方向に引っ張ることによって、前記第２身体領域に誘発されることを特徴とする身体サポート。
【請求項４】
請求項１乃至３のいずれか１項に記載の身体サポートが、複数の第１位置であって、各々の第２サポートに対する横方向のスペースが異なる第１位置を具え、異なる第１位置の各々において前記第１サポートを前記第２サポートに対して取り付けることによって、前記第１支持圧力が対応して変化し；及び／又は、
複数の第２位置であって、各々が前記第１サポートに対する横方向のスペースが異なる第２位置を具え、前記第２サポートを前記異なる各第２位置において前記第１サポートに対して取り付けることによって、前記第１支持圧力が対応して変化することを特徴とする身体サポート。
【請求項５】
請求項１乃至４のいずれか１項に記載の身体サポートにおいて、前記第１ファスナが、前記第２サポートの外向側部に対して前記少なくとも一の第１舌部を可逆的に取り付けるように構成され；及び／又は、
前記第２ファスナが、前記少なくとも一の第２舌部を前記第１サポートの外向側部に対して可逆的に取り付けるように構成されていることを特徴とする身体サポート。
【請求項６】
請求項３乃至５のいずれか１項に記載の身体サポートにおいて、前記第１張力が、相対的に上位位置に横方向に適用され、前記第２張力が、相対的に下位位置に横方向に適用され；又は、
前記第１張力が、相対的に下位位置に横方向に適用され、前記第２張力が、相対的に上位位置に適用されることを特徴とする身体サポート。
【請求項７】
請求項１乃至６のいずれか１項に記載の身体サポートにおいて、前記連結セクションが、前記第１内側横方向端部と前記第２内側横方向端部に連結され、これによって、装着状態において取付時に前記身体部分に巻き付いてこれを支持し、前記第１パネルが前記第１身体領域と重なって隣接する関係にあり、前記第２パネルが前記第２身体領域と重なって隣接する関係にあり、前記連結セクションの少なくとも一部が前記身体部分の後ろ側と重なって隣接する関係にあることを特徴とする身体サポート。
【請求項８】
請求項１乃至７のいずれか１項に記載の身体サポートがさらに、前記第１ファスナ及び前記第２ファスナと異なる少なくとも一の予備ファスナであって、前記少なくとも一の予備ファスナの各々が、前記第１サポートと前記第２サポートを前記身体部分に対して前方位置において、特に、ほぼ中央前方位置において、前記身体部分の正中面にほぼ対応して、互いに可逆的に取り付けるように構成されていることを特徴とする身体サポート。
【請求項９】
請求項１乃至８のいずれか１項に記載の身体サポートにおいて、前記少なくとも一の第１舌部が、前記少なくとも一の第２舌部に対して横方向に平行にスペースを空けた関係にあり、特に：
前記連結セクションが、前記第１サポートを前記第２サポートに、前記身体サポートの仮想長手方向中央線に沿って縦方向にスペースを空けて配置した関係で連結しており；
前記少なくとも一の第１舌部が、前記中央線の第１横方向側部上で前記中央線から横方向にスペースを空けて配置されており、前記少なくとも一の第２舌部が、前記中央線の第２横方向側部上で前記中央線から横方向にスペースを開けて配置されており、前記第１横方向側部及び前記第２横方向側部が前記中央線の両側横方向端部である；
ことを特徴とする身体サポート。
【請求項１０】
請求項１乃至９のいずれか１項に記載の身体サポートにおいて、前記第１サポートがさらに、前記第１外側横方向端部から突出しており、装着状態において、少なくとも一つの第１位置で前記第１予備舌部を前記第１サポートに選択的かつ可逆的に取り付けるように構成された第１予備ファスナを具える、少なくとも一の第１予備舌部を具え、前記第１予備舌部の一部が、前記第１サポートの各部分と重なって隣接する関係にあり、前記第１支持圧力を強化することを特徴とする身体サポート。
【請求項１１】
請求項１乃至１０のいずれか１項に記載の身体サポートにおいて、脱着状態において、前記第１サポートと前記第２サポートが、前記連結セクションのみを介して、互いに永久接続されていることを特徴とする身体サポート。
【請求項１２】
請求項１乃至１１のいずれか１項に記載の身体サポートにおいて、装着状態において、前記身体サポートが、前記第１圧力と前記第２圧力のみを介して、前記身体部分に取り付けられていることを特徴とする身体サポート。
【請求項１３】
請求項１乃至１２のいずれか１項に記載の身体サポートにおいて、前記第１ファスナと前記第２ファスナが、前記第1支持圧力と前記第２支持圧力をそれぞれ独立して適用するように構成され；及び／又は、
前記第１ファスナと前記第２ファスナが、前記第２支持圧力と異なる第１支持圧力を適用するように構成されていることを特徴とする身体サポート。
【請求項１４】
請求項１乃至１３のいずれか１項に記載の身体サポートであって、特に胸部サポートとして構成されている身体サポートにおいて、
前記身体部分が胴体であり、前記第１身体領域が前記胴体に対応する胸部の第１乳房領域であり、前記第２身体領域が前記胴体に対応する胸部の第２乳房領域であり、前記第１乳房領域と前記第２乳房領域の各々が、前記胴体の正中矢面の異なる側面にあり、第１パネルが第１乳房受けパネルであり、第２パネルが第２乳房受けパネルであることを特徴とする身体サポート。
【請求項１５】
身体サポートを身体部分に装着する方法において：
（ａ）請求項１４に記載の身体サポートを提供するステップと；
（ｂ）前記第１乳房受けパネルが前記第１乳房領域に重なって隣接する関係になり、前記第２乳房受けパネルが前記第２乳房領域に重なって隣接する関係になり、前記連結セクションが前記胴体の背部に重なって隣接する関係になるように、前記身体サポートを前記胴体に巻き付けるステップと；
（ｃ）前記第１外側横方向端部を介して前記第１乳房受けパネルに前記第１張力をかけ、前記第１張力を維持しつつ前記第１乳房受けパネルを対応する前記第１位置において前記第２サポートに取り付けて、前記第１乳房領域に前記第１支持圧力を誘発するステップと；
（ｄ）前記第２外側横方向端部を介して前記第２乳房受けパネルに前記第２張力をかけ、前記第２張力を維持しつつ前記第２乳房受けパネルを対応する前記第２位置において前記第１サポートに取り付けて、前記第２乳房領域に前記第２支持圧力を誘発するステップと；
を具えることを特徴とする方法。